(57)【要約】      （修正有）【課題】撮影された画像の撮影後の利用価値を高める新たな魅力を創造する、サーバシステムを提供する。【解決手段】サーバシステムは、ユーザを撮影するための撮影機能を有するロケーション装置から撮影画像を受信する。サーバシステムは、ロケーション装置から取得した撮影画像を、撮影されたユーザに係る個体識別情報と対応づけて記憶する。そして、ユーザは、撮影後に、ユーザ端末１５００でサーバシステムにアクセスすることで撮影画像を取得し、画像編集することができる。複数のユーザが１つの撮影画像に対して別々に画像編集し、お互いの編集画像を見ることができる。【選択図】図１２
2015154218.tif 000002
【特許請求の範囲】
【請求項１】
ユーザ、前記ユーザのユーザ端末、或いは、前記ユーザ端末に記憶された所定のアプリケーション（以下包括して「個体」という）をユニークに識別するための個体識別情報と、撮影画像データとを管理するサーバシステムであって、
前記ユーザ端末は、前記個体識別情報と、特別画像と、撮影画像データの編集時に前記特別画像を使用可能とするか否かの使用可否情報とを記憶する記憶手段と、前記特別画像の使用許可要求情報を入力するための入力手段と、前記使用許可要求情報が入力された場合に前記記憶手段に記憶された使用可否情報を使用可に設定する使用可設定手段と、前記記憶手段に記憶された前記個体識別情報をコード情報に含めて外部出力する手段であり、前記使用許可要求情報が入力された場合には当該使用許可要求情報を更にコード情報に含めて外部出力する外部出力手段と、を備えており、
前記ユーザ端末から前記コード情報を取得するコード情報取得機能とユーザを撮影するための撮影機能とを備えたロケーション装置から、撮影画像データと、当該コード情報に含まれている個体識別情報と、前記使用許可要求情報が当該コード情報に含まれている場合には当該使用許可要求情報とを受信する受信手段と、
前記受信した撮影画像データを、当該撮影画像データへアクセスするためのアクセス情報と、受信した個体識別情報を含めた当該撮影画像データへのアクセスを許可する個体の個体識別情報リストと、当該撮影画像データとともに前記使用許可要求情報を受信した場合に前記使用可否情報を使用可に設定するための許諾情報と関連づけて記憶したセーブデータを記憶する記憶手段と、
前記ユーザ端末から、前記アクセス情報に基づくアクセスを受け付け、（１）前記セーブデータに前記許諾情報が関連づけて記憶されていない場合には、当該ユーザ端末に記憶された前記使用可否情報を使用可に設定させるための使用許可指示情報を提供せず、関連づけて記憶されている場合には、前記使用許可指示情報を提供し、（２）当該個体識別情報が前記個体識別情報リストに含まれている場合には、前記セーブデータを当該ユーザ端末側で編集可能に提供し、含まれていない場合には、所与のアクセス許可条件を満たす場合に前記セーブデータを当該ユーザ端末側で編集可能に提供する、セーブデータ提供手段と、
を備えたサーバシステム。
【請求項２】
前記個体識別情報と前記許諾情報とを関連づけて管理する手段、
を更に備えた請求項１に記載のサーバシステム。
【請求項３】
ユーザ同士のフレンド関係を、当該ユーザに係る個体識別情報と関連づけて管理するフレンド管理手段と、
前記フレンド管理手段の管理内容に基づいて、前記個体識別情報リストに、互いにフレンド関係となっていないユーザが含まれている場合に、当該ユーザのユーザ端末にフレンド関係の登録を促す情報を送信するフレンド登録推奨制御手段と、
を更に備えた請求項１又は２に記載のサーバシステム。
【請求項４】
ユーザ同士のフレンド関係を、当該ユーザに係る個体識別情報と関連づけて管理するフレンド管理手段と、
前記受信手段により受信された撮影画像データが前記許諾情報と関連づけて前記記憶手段に記憶された場合に、当該撮影画像データとともに受信された個体識別情報に係るユーザとフレンド関係にあるフレンドユーザのユーザ端末に、当該ユーザの撮影画像データが前記許諾情報と関連づけて記憶された旨を示す所与の通知情報を通知する制御を行う通知制御手段と、
を更に備えた請求項１〜３の何れか一項に記載のサーバシステム。
【請求項５】
前記受信手段による受信データに基づいて、各ユーザの前記ロケーション装置での撮影履歴を管理する撮影履歴管理手段と、
前記撮影履歴が、前記使用許可要求情報を付与する所定条件を満たしたユーザのユーザ端末に前記使用許可要求情報を送信する付与手段と、
を更に備えた請求項１〜４の何れか一項に記載のサーバシステム。
【請求項６】
請求項１〜５の何れか一項に記載のサーバシステムと通信可能なユーザ端末であり、当該個体識別情報を記憶したコンピュータを、
特別画像、および撮影画像データの編集時に前記特別画像を使用可能とするか否かの使用可否情報を記憶するための記憶手段、
前記特別画像の使用許可要求情報を入力するための入力手段、
前記使用許可要求情報が入力された場合に前記記憶手段に記憶された使用可否情報を使用可に設定する使用可設定手段、
前記記憶手段に記憶された前記個体識別情報をコード情報に含めて外部出力する手段であり、前記使用許可要求情報が入力された場合には当該使用許可要求情報を更にコード情報に含めて外部出力する外部出力手段、
前記アクセス情報に基づき、当該個体識別情報を前記サーバシステムに送信して前記アクセスを行い、前記サーバシステムから前記使用許可指示情報を受信した場合に前記記憶手段に記憶された使用可否情報を使用可に設定し、前記セーブデータの編集を行う編集処理手段、
として機能させるためのプログラム。
【発明の詳細な説明】
【技術分野】
【０００１】
本発明は、撮影機能を備えたロケーション装置から撮影画像データを受信して管理するサーバシステム等に関する。
【背景技術】
【０００２】
撮影機能と撮影画像の印刷機能とを一体に備えた撮影印刷装置が知られている。例えば、「写真シール作成装置」などと呼ばれる装置がこれに含まれる。
撮影印刷装置は、ゲームセンターや大型量販店などに設置されており、友人や家族とともに手軽に写真を撮影し、撮影画像やその編集画像（以下包括して「撮影画像」という）を印刷したシールなどをその場で入手できるので人気である。
【０００３】
一部の撮影印刷装置は、画像編集機能を有しており、ユーザは撮影された画像に様々な装飾を追加して画像を完成させ印刷させることができる（例えば、特許文献１を参照）。また、近年では、通信回線に接続する機能を更に有し、撮影画像のデータを外部サーバに送信し、ユーザがパソコンやスマートフォンでその画像を入手可能にする技術（例えば、特許文献２参照）や、電子メールなどでユーザが指定したアドレスに撮影画像のデータを配信する技術（例えば、特許文献３参照）も提案されている。
【先行技術文献】
【特許文献】
【０００４】
【特許文献１】特許第５２１２０５３号公報
【特許文献２】特開２００１−２４５２９０号公報
【特許文献３】特開２００３−３３３５７３号公報
【発明の概要】
【発明が解決しようとする課題】
【０００５】
本発明は、こうした背景を鑑みてなされたものであり、撮影された画像の撮影後の利用価値を高める新たな魅力を創造することを目的とする。
【課題を解決するための手段】
【０００６】
上述した課題を解決するための第１の発明は、
ユーザ、前記ユーザのユーザ端末、或いは、前記ユーザ端末に記憶された所定のアプリケーション（以下包括して「個体」という）をユニークに識別するための個体識別情報（例えば、図２２のユーザ登録データベース５９０）と、撮影画像データ（例えば、図２２の撮影画像データベース６００）とを管理するサーバシステム（例えば、図２２のサーバシステム１１００）であって、
前記ユーザ端末は、前記個体識別情報と、特別画像と、撮影画像データの編集時に前記特別画像を使用可能とするか否かの使用可否情報とを記憶する記憶手段（例えば、図２４の端末記憶部５００ｔ、特別画像管理データ５３５）と、前記特別画像の使用許可要求情報を入力するための入力手段と、前記使用許可要求情報が入力された場合に前記記憶手段に記憶された使用可否情報を使用可に設定する使用可設定手段（例えば、図２４の端末処理部２００ｔ、図２９のステップＴ８）と、前記記憶手段に記憶された前記個体識別情報をコード情報に含めて外部出力する手段であり、前記使用許可要求情報が入力された場合には当該使用許可要求情報を更にコード情報に含めて外部出力する外部出力手段（例えば、図２４の端末処理部２００ｔ、図２９のステップＴ２２、Ｔ３０）と、を備えており、
前記ユーザ端末から前記コード情報を取得するコード情報取得機能とユーザを撮影するための撮影機能とを備えたロケーション装置（例えば、図１のロケーション装置１３００）から、撮影画像データ（例えば、図２１の撮影データセット）と、当該コード情報に含まれている個体識別情報（例えば、図２０のデコード情報５２０）と、前記使用許可要求情報が当該コード情報に含まれている場合には当該使用許可要求情報（例えば、図２０のデコード情報５２０）とを受信する受信手段（例えば、図２２の通信部３７４ｓ）と、
前記受信した撮影画像データを、当該撮影画像データへアクセスするためのアクセス情報と、受信した個体識別情報を含めた当該撮影画像データへのアクセスを許可する個体の個体識別情報リストと、当該撮影画像データとともに前記使用許可要求情報を受信した場合に前記使用可否情報を使用可に設定するための許諾情報と関連づけて記憶したセーブデータを記憶する記憶手段（例えば、図２２のサーバ記憶部５００ｓ、セーブデータセット６１０）と、
前記ユーザ端末から、前記アクセス情報に基づくアクセスを受け付け、（１）前記セーブデータに前記許諾情報が関連づけて記憶されていない場合には、当該ユーザ端末に記憶された前記使用可否情報を使用可に設定させるための使用許可指示情報を提供せず、関連づけて記憶されている場合には、前記使用許可指示情報を提供し、（２）当該個体識別情報が前記個体識別情報リストに含まれている場合には、前記セーブデータを当該ユーザ端末側で編集可能に提供し、含まれていない場合には、所与のアクセス許可条件を満たす場合に前記セーブデータを当該ユーザ端末側で編集可能に提供する、セーブデータ提供手段（例えば、図２２のサーバ処理部２００ｓ、図２７のステップＳ１８〜Ｓ２８）と、
を備えたサーバシステムである。
【０００７】
この第１の発明によれば、ユーザ端末は、個体識別情報と、特別画像と、撮影画像データの編集時に特別画像を使用可能とするか否かの使用可否情報とを記憶しており、特別画像の使用許可要求情報が入力されると、使用可否情報を使用可に設定する。そして、個体識別情報をコード情報に含めて外部出力する際に、使用許可要求情報を更にコード情報に含めて外部出力する。ロケーション装置は、ユーザ端末からコード情報を取得する機能とユーザを撮影するための撮影機能とを備えている。サーバシステムは、ロケーション装置から撮影画像データと、コード情報に含まれていた個体識別情報及び使用許可要求情報を受信する。
【０００８】
また、サーバシステムは、撮影画像データを、当該撮影画像データへアクセスするためのアクセス情報と、受信した個体識別情報を含めた当該撮影画像データへのアクセスを許可する個体の個体識別情報リストと、当該撮影画像データとともに使用許可要求情報を受信した場合に前記使用可否情報を使用可に設定するための許諾情報と関連づけてセーブデータとして記憶する。
【０００９】
そして、サーバシステムは、ユーザ端末から、アクセス情報に基づくアクセスを受け付け、（１）セーブデータに許諾情報が関連づけて記憶されていない場合には、当該ユーザ端末に記憶された使用可否情報を使用可に設定させるための使用許可指示情報を提供せず、関連づけて記憶されている場合には、前記使用許可指示情報を提供し、（２）当該個体識別情報が個体識別情報リストに含まれている場合には、セーブデータを当該ユーザ端末側で編集可能に提供し、含まれていない場合には、所与のアクセス許可条件を満たす場合にセーブデータを当該ユーザ端末側で編集可能に提供する。
【００１０】
これにより、ユーザ端末に使用許可要求情報を入力すれば、ユーザ端末における撮影画像データの編集時に特別画像を使用することが可能となる。また、ロケーション装置で撮影する際にユーザ端末から提示されるコード情報に使用許可要求情報が含まれることとなり、この情報がロケーション装置を介して、サーバシステムに提供されて管理される。その後、アクセス情報に基づいてサーバシステムにアクセスした他のユーザは、撮影画像データの提供を受けることで、撮影画像データの編集が可能となる上、サーバシステムから使用許可指示情報を受けることで、特別画像を使用することも可能となる。よって、撮影された画像の撮影後の利用価値を高め、新たな魅力を創造することができる。
【００１１】
第２の発明は、第１の発明において、
前記個体識別情報と前記許諾情報とを関連づけて管理する手段（例えば、図２２のサーバ処理部２００ｓ、アカウント管理部２０１、ユーザ登録データベース５９０、図２３のアクセス許可アプリＩＤリスト６１２、アクセス許可ユーザアカウントリスト６１３、アクセス許可電子メールアドレスリスト６１４、特別画像使用許諾リスト６１６）、
を更に備えたサーバシステムである。
【００１２】
この第２の発明によれば、許諾情報を個体識別情報と関連づけて管理することができる。
【００１３】
第３の発明は、第１又は第２の発明において、
ユーザ同士のフレンド関係を、当該ユーザに係る個体識別情報と関連づけて管理するフレンド管理手段（例えば、図２２のサーバ処理部２００ｓ、アカウント管理部２０１、ユーザ登録データ５９２、フレンドデータ５９４）と、
前記フレンド管理手段の管理内容に基づいて、前記個体識別情報リストに、互いにフレンド関係となっていないユーザが含まれている場合に、当該ユーザのユーザ端末にフレンド関係の登録を促す情報を送信するフレンド登録推奨制御手段（例えば、図２２のサーバ処理部２００ｓ、図２８のステップＳ５８〜Ｓ６２）と、
を更に備えたサーバシステムである。
【００１４】
この第３の発明によれば、撮影画像データの編集が行えるユーザ同士であっても、フレンド登録がなされていない場合には、比較的近しい間柄のはずと判断して、フレンド登録を促すことができる。
【００１５】
第４の発明は、第１〜第３の何れかの発明において、
ユーザ同士のフレンド関係を、当該ユーザに係る個体識別情報と関連づけて管理するフレンド管理手段（例えば、図２２のサーバ処理部２００ｓ、アカウント管理部２０１、ユーザ登録データ５９２、フレンドデータ５９４）と、
前記受信手段により受信された撮影画像データが前記許諾情報と関連づけて前記記憶手段に記憶された場合に、当該撮影画像データとともに受信された個体識別情報に係るユーザとフレンド関係にあるフレンドユーザのユーザ端末に、当該ユーザの撮影画像データが前記許諾情報と関連づけて記憶された旨を示す所与の通知情報を通知する制御を行う通知制御手段（例えば、図２２のサーバ処理部２００ｓ、図２７のステップＳ１６）と、
を更に備えたサーバシステムである。
【００１６】
この第４の発明によれば、あるユーザの撮影画像データが、特別画像を使用可能とするための許諾情報とともにサーバシステムに記憶・管理された場合に、当該ユーザのフレンドユーザのユーザ端末に、その旨を示す通知情報が通知される。フレンドユーザが自身のユーザ端末でサーバシステムにアクセスして、当該ユーザの撮影画像データを編集することができる場合には、フレンドユーザのユーザ端末においても特別画像が使用可能となる。このため、近しい間柄であるフレンド同士にとって、至便な通知を実現することができる。
【００１７】
第５の発明は、第１〜第４の何れかの発明において、
前記受信手段による受信データに基づいて、各ユーザの前記ロケーション装置での撮影履歴を管理する撮影履歴管理手段（例えば、図２２のサーバ処理部２００ｓ、図２７のステップＳ６）と、
前記撮影履歴が、前記使用許可要求情報を付与する所定条件を満たしたユーザのユーザ端末に前記使用許可要求情報を送信する付与手段（例えば、図２２のサーバ処理部２００ｓ、図２８のステップＳ５２〜Ｓ５６）と、
を更に備えたサーバシステムである。
【００１８】
この第５の発明によれば、ロケーション装置における各ユーザの撮影履歴を管理することができ、撮影履歴が所定条件を満たしたユーザのユーザ端末に、特別画像を使用可とすることができる使用許可要求情報を送信することができる。
【００１９】
第６の発明は、第１〜第５の何れかの発明のサーバシステムと通信可能なユーザ端末であり、当該個体識別情報を記憶したコンピュータを、
特別画像、および撮影画像データの編集時に前記特別画像を使用可能とするか否かの使用可否情報を記憶するための記憶手段（例えば、図２４の端末記憶部５００ｔ、特別画像管理データ５３５）、
前記特別画像の使用許可要求情報を入力するための入力手段（例えば、図２４の撮影部１０２ｔ）、
前記使用許可要求情報が入力された場合に前記記憶手段に記憶された使用可否情報を使用可に設定する使用可設定手段（例えば、図２４の端末処理部２００ｔ、図２９のステップＴ８）、
前記記憶手段に記憶された前記個体識別情報をコード情報に含めて外部出力する手段であり、前記使用許可要求情報が入力された場合には当該使用許可要求情報を更にコード情報に含めて外部出力する外部出力手段（例えば、図２４の端末処理部２００ｔ、図２９のステップＴ２２，Ｔ３０）、
前記アクセス情報に基づき、当該個体識別情報を前記サーバシステムに送信して前記アクセスを行い、前記サーバシステムから前記使用許可指示情報を受信した場合に前記記憶手段に記憶された使用可否情報を使用可に設定し、前記セーブデータの編集を行う編集処理手段（例えば、図２４の端末処理部２００ｔ、図３０のステップＴ４８〜Ｔ５６）、
として機能させるためのプログラムである。
【００２０】
この第６の発明によれば、第１の発明と同様の作用効果を奏するユーザ端末を実現することができるようになる。
【図面の簡単な説明】
【００２１】
【図１】撮影画像提供システムの構成の一例を示す図。
【図２】ロケーション装置の構成例を示す概略図。
【図３】ユーザ端末の構成例を示す正面外観図。
【図４】ロケーション装置における撮影画像に基づく印刷例を示す図。
【図５】印刷用統合画像データに係る画像編集段階でのレイヤー構造を説明するための図。
【図６】印刷前の画像編集過程でタッチパネルに表示される編集画面の例を示す図。
【図７】案内画面の例を示す図。
【図８】電子メールアドレスを入力するための画面例を示す図。
【図９】アクセス情報の表示画面例を示す図。
【図１０】ユーザ端末でサーバシステムに保存されている撮影画像のデータにアクセスできるようになるまでの過程について説明する図。
【図１１】ユーザ端末でサーバシステムに保存されている撮影画像のデータにアクセスできるようになるまでの別の過程について説明する図。
【図１２】ユーザ端末にて表示される画像編集画面の例を示す図。
【図１３】ユーザ端末にて表示される画像編集画面の例を示す図。
【図１４】ユーザ端末にて表示される画像閲覧画面の例を示す図。
【図１５】ユーザ端末にて表示される画像閲覧画面の例を示す図。
【図１６】書籍から使用許可要求コードをユーザ端末に取り込む例を示す図。
【図１７】ロケーション装置における編集画面の例を示す図。
【図１８】ユーザ端末にて表示される画像編集画面の例を示す図。
【図１９】サーバシステムに保存されている撮影画像のデータにアクセスし、且つ、特別画像が使用可能となるまでの過程について説明する図。
【図２０】ロケーション装置の機能構成例を示す機能ブロック図。
【図２１】撮影データセットのデータ構成例を示す図。
【図２２】サーバシステムの機能構成例を示す機能ブロック図。
【図２３】セーブデータセットのデータ構成例を示す図。
【図２４】ユーザ端末の機能構成例を示す機能ブロック図。
【図２５】ロケーション装置における処理の流れを説明するためのフローチャート。
【図２６】ロケーション装置における処理の流れを説明するためのフローチャート。
【図２７】サーバシステムにおける処理の流れを説明するためのフローチャート。
【図２８】サーバシステムにおける処理の流れを説明するためのフローチャート。
【図２９】ユーザ端末における処理の流れを説明するためのフローチャート。
【図３０】ユーザ端末における処理の流れを説明するためのフローチャート。
【図３１】ユーザ端末における処理の流れを説明するためのフローチャート。
【図３２】ユーザ端末における画像編集処理の流れを説明するためのフローチャート。
【図３３】ユーザ端末における画像編集処理の流れを説明するためのフローチャート。
【発明を実施するための形態】
【００２２】
図１は、本実施形態における撮影印刷システムである撮影画像提供システムの構成の一例を示す図である。本実施形態の撮影画像提供システムは、それぞれ通信回線９に接続することのできる、１）ゲームセンター等のアミューズメント施設やショッピングセンター等のアミューズメントコーナー等に設置されるロケーション装置１３００と、２）ロケーション装置１３００から撮影画像等のデータを受信して配信可能に記憶・管理するサーバシステム１１００と、３）ユーザが所有するユーザ端末１５００と、４）指定されたユーザ端末１５００へプッシュ型の通知（プッシュ通知）を実行する公知の通知システムサーバ１６００とを含む。
【００２３】
なお、通信回線９は、データ通信が可能な通信路を意味する。すなわち、通信回線９とは、直接接続のための専用線（専用ケーブル）やイーサネット（登録商標）等によるＬＡＮ（Local Area Network）の他、電話通信網やケーブル網、インターネット等の通信網を含む意味であり、また、通信方法については有線／無線を問わない。
【００２４】
サーバシステム１１００は、単数又は複数のサーバ装置や記憶装置等を含んで構成されたコンピュータシステムである。例えば、本体装置１１０１と、キーボード１１０６と、タッチパネル１１０８と、ストレージ１１４０とを備える。本体装置１１０１には、制御基板１１５０が搭載されている。制御基板１１５０には、ＣＰＵ（Central Processing Unit）１１５１やＧＰＵ（Graphics Processing Unit）、ＤＳＰ（Digital Signal Processor）などの各種マイクロプロセッサ、ＡＳＩＣ（Application Specific Integrated Circuit）、ＶＲＡＭやＲＡＭ，ＲＯＭ等の各種ＩＣメモリ１１５２、通信装置１１５３が搭載されている。
【００２５】
図１の例では、サーバシステム１１００を単体として記しているが、サーバシステム１１００には複数のブレードサーバを搭載して機能を分担して担い、相互に内部バスを介してデータ通信可能に接続された構成であっても良い。或いは、離れた場所に設置された独立した複数のサーバを、通信回線９を介してデータ通信させることで、全体としてサーバシステム１１００として機能させる構成であっても良い。
【００２６】
そして、サーバシステム１１００は、ウェブサイトを公開するウェブサーバとしての機能と、当該ウェブサイトを通じて所定の会員登録手続きを済ませたユーザに固有のアカウントを発給し各種登録情報とともに情報管理する機能と、当該ウェブサイトを通じてロケーション装置１３００から受信した撮影画像のデータを配信する機能と、を実現する。
【００２７】
図２は、本実施形態におけるロケーション装置１３００の構成例を示す概略図であって、装置を横から見た図に相当する。
ロケーション装置１３００は、主筐体１３０１と、コイン投入装置１３０２と、照明装置１３０４と、タッチパネル１３０６と、カメラ部１３０８と、制御基板１３５０と、印刷装置１３６０と、ＩＣカード読取装置１３６２と、カメラ部１３０８の正面に設定された単色背景部１３６４とを備える。勿論、図示されない電源部等のその他の構成要素を適宜含むものとする。
【００２８】
コイン投入装置１３０２は、対価としてのコイン４を１枚ずつ投入することのできる公知の装置である。投入されたコインを検出する毎に所定の検出信号を制御基板１３５０へ出力することができる。また、制御基板１３５０からの返金指示信号を受信して、撮影開始前に投入されたコイン４を返金処理することができる。
【００２９】
カメラ部１３０８は、ユーザ２を撮影する公知の撮影手段であって、例えば、レンズやフィルターなどの光学系部品と、イメージセンサーと、当該センサーで撮影した画像の画像データを生成・出力する画像処理ＩＣとを有する。カメラ部１３０８は、撮影した画像データを制御基板１３５０へ出力することができる。
【００３０】
タッチパネル１３０６は、ユーザ２へ各種の操作案内画面を表示する画像表示と、タッチ操作による各種の操作入力を受け付ける操作受付とを兼ねる公知の装置である。制御基板１３５０から受信した画像信号に基づいて各種画面を表示し、タッチ操作を検出するとタッチ位置座標データを制御基板１３５０へ出力することができる。
【００３１】
制御基板１３５０は、ＣＰＵ１３５１やＧＰＵ，ＤＳＰなどの各種マイクロプロセッサと、ＩＣメモリ１３５２と、通信回線９に接続するための通信モジュール１３５３と、タッチパネル１３０６のドライバ回路１３５４と、カメラ部１３０８やＩＣカード読取装置１３６２、印刷装置１３６０などへの信号入出力を制御するインターフェースＩＣ１３５５と、を搭載する。勿論、これら以外の電子電気要素も適宜搭載することができる。これら制御基板１３５０に搭載されている各要素は、それぞれバス回路などを介して電気的に接続され、データの読み書きや信号の送受信が可能に接続されている。そして、制御基板１３５０は、ＩＣメモリ１３５２に記憶されているプログラムに従って演算処理することによりロケーション装置１３００を統合的に制御する。なお、制御基板１３５０の一部または全部をＡＳＩＣにて実現するとしてもよい。
【００３２】
印刷装置１３６０は、カメラ部１３０８により撮影された画像に基づいて制御基板１３５０にて印刷用に画像処理された撮影画像（撮影されたオリジナルの画像、オリジナル撮影画像を画像処理した画像などを含む意）を所定の被印刷媒体８（例えば、プリント用紙やシール紙など）に印刷して出力することができる。公知のプリンター装置により実現できる。
【００３３】
ＩＣカード読取装置１３６２は、ユーザ２が所持するＩＣカード６に対応する非接触式のリーダライター装置である。ＩＣカード６から読み出したデータを制御基板１３５０へ出力し、逆に制御基板１３５０からの書き込み指示信号に基づいてデータを書き込むことができる。
【００３４】
単色背景部１３６４は、表面が均質な単色に加工された布または板である。単色背景部１３６４は、画像処理によってカメラ部１３０８により撮影された画像から背景を識別してユーザ２の像を切り取る処理（クロマキー処理）に利用される。
【００３５】
図３は、ユーザ端末１５００の構成例を示す正面外観図である。
ユーザ端末１５００は、通信回線９に接続してサーバシステム１１００等の外部装置にアクセスすることができるコンピュータであり電子装置（電子機器）である。本実施形態のユーザ端末１５００はいわゆるスマートフォンとして分類される装置であるが、携帯型ゲーム装置、ノートパソコン、タブレット型コンピュータ、ウェアラブルコンピュータなどに分類される装置でもよい。
【００３６】
本実施形態におけるユーザ端末１５００は、方向入力キー１５０２と、ボタンスイッチ１５０４と、画像表示デバイス兼接触位置入力デバイスとして機能するタッチパネル１５０６と、当該タッチパネル１５０６の表示方向を撮影するカメラ部１５０８と、内蔵バッテリー１５０９と、スピーカ１５１０と、マイク１５１２と、制御基板１５５０と、コンピュータ読み出し可能な記憶媒体であるメモリカード１５４０からデータを読み書きできるメモリカード読取装置１５４２と、を備える。その他、図示されていない電源ボタン、音量調節ボタン等が設けられている。
【００３７】
制御基板１５５０は、ＣＰＵ１５５１やＧＰＵ，ＤＳＰなどの各種マイクロプロセッサと、ＡＳＩＣ，ＶＲＡＭ，ＲＡＭ，ＲＯＭ等の各種ＩＣメモリ１５５２と、通信回線９に接続する携帯電話基地局や無線ＬＡＮ基地局などと無線通信するための無線通信モジュール１５５３とが搭載されている。
【００３８】
その他、タッチパネル１５０６のドライバ回路、方向入力キー１５０２及びボタンスイッチ１５０４からの信号を受信する回路、スピーカ１５１０へ音声信号を出力する出力アンプ回路、マイク１５１２で集音した音声の信号を生成する入力信号生成回路、メモリカード読取装置１５４２への信号入出力回路といった所謂インターフェース回路１５５７等が搭載されている。これら制御基板１５５０に搭載されている各要素は、それぞれバス回路などを介して電気的に接続され、データの読み書きや信号の送受信が可能に接続されている。
【００３９】
そして、制御基板１５５０は、アプリケーションプログラム（以下「アプリ」と呼ぶ）を外部装置からダウンロードさせてＩＣメモリ１５５２に記憶させ、所定の実行操作入力に応じてこれを読み出して演算処理を実行することができる。
【００４０】
図４は、ロケーション装置１３００における撮影画像に基づく印刷例を示す図である。
本実施形態では、ロケーション装置１３００の有する画像編集機能によって撮影されたオリジナル撮影画像を印刷前に編集して印刷用統合画像２０を作成することができる。そして、印刷装置１３６０はこの印刷用統合画像２０を被印刷媒体８に印刷する。
【００４１】
印刷用統合画像２０は、図５に示すように、画像編集段階では複数のレイヤーによる階層構造で扱われ、印刷段階で複数のレイヤーが１つに統合される。なお、本明細書における「レイヤー」とは、未描画部分が下層の画像を透過することができる層を言う。本実施形態では、層構造の上（ユーザから見て手前側）から順に、前景レイヤー１２と、人物レイヤー１４と、人物影レイヤー１６と、背景レイヤー１８とを有する。
【００４２】
前景レイヤー１２は、画像編集操作によってユーザが任意に装飾オブジェクト１３を配置することのできるレイヤーである。本実施形態では装飾オブジェクト１３として、テキストオブジェクト１３ａと、２次元画像要素であるスタンプオブジェクト１３ｂとをサポートするが、その他のオブジェクトも適宜サポートすることができる。
【００４３】
人物レイヤー１４は、オリジナル撮影画像１０から単色背景部１３６４の色が写っている部分をクロマキー処理して人物が写っている部分のみ切り抜いて生成される。
【００４４】
人物影レイヤー１６は、オリジナル撮影画像１０から単色背景部１３６４の色が写っている部分をクロマキー処理して人物が写っている部分のみ切り抜き、更に当該部分の範囲を単一領域として背景レイヤー１８の色と同系色のグレーカラーで塗りつぶし、輪郭を拡大するとともにぼかし処理を施して生成される。
【００４５】
背景レイヤー１８は、画像編集操作によってユーザが所定の選択肢の中から選択した画像が描かれる。
【００４６】
図６は、印刷前の画像編集過程でタッチパネル１３０６に表示される編集画面の例を示す図である。
本実施形態における印刷用画像編集画面Ｗ２は、編集過程の各レイヤーを重ね表示して予想される印刷用統合画像２０を表したプレビュー３０と、背景や装飾オブジェクト１３の色調を指定する色指定パレット３１と、編集操作パネル３２と、やりなおし操作アイコン３６と、印刷操作アイコン３８とを有する。
【００４７】
編集操作パネル３２は、編集項目をタブ形式で表示して前景レイヤー１２や背景レイヤー１８の編集に関する選択操作や入力操作を受け付ける。図示の例では、背景レイヤー１８とすることのできる背景テンプレート画像のサムネイル（背景テンプレート画像サムネイル３３）を選択操作可能に表示する「背景」タブが最前面にある。何れかの背景テンプレート画像サムネイル３３をタッチ操作すると、当該サムネイルに対応する画像が背景レイヤー１８に採用され、プレビュー３０の表示に反映される。他の編集項目としては、テキストオブジェクト１３ａを入力する「テキスト」タブと、スタンプオブジェクト１３ｂを選択する「スタンプ」タブが用意されており、該当するタブを選択して対応する編集項目の選択や入力操作を行うことができる。勿論、その結果もプレビュー３０の表示に随時反映される。また、編集項目は上述の例に限らず、適宜追加・省略・変更が可能である。
【００４８】
編集操作をやり直して前の状態に戻したければ、適宜、やりなおし操作アイコン３６をタッチ操作して復元させることができる。
そして、プレビュー３０の表示が満足いく内容に仕上がったならば、印刷操作アイコン３８をタッチ操作して被印刷媒体８への印刷を開始させることができる。すなわち、前景レイヤー１２〜背景レイヤー１８までを１つの画像に統合した印刷用統合画像２０を印刷装置１３６０に印刷させることができる。
【００４９】
さて、本実施形態における撮影画像提供システムでは、ロケーション装置１３００が画像編集過程のデータをサーバシステム１１００に送信して保存させ、ユーザ２が撮影後に自由に参照して再編集することができるように構成されている。
【００５０】
撮影した本人（または本人達）が再編集を可能とするために、本実施形態における撮影画像提供システムでは、ユーザ２、ユーザ端末１５００、或いは、ユーザ端末１５００に記憶された撮影画像提供システム用アプリケーションプログラム（以下「プリ機アプリ」という）といった画像編集の主体（個体）をユニークに識別するための個体識別情報として、ユーザ２が使用するユーザ端末１５００にインストールされたプリ機アプリのアプリＩＤと、当該プリ機アプリにおいて実行されるユーザ登録（ログイン登録）で設定したユーザアカウントおよび電子メールアドレスを利用する。
【００５１】
なお、「アプリＩＤ」とは、アプリ配信サーバからユーザ端末１５００にダウンロードされる際に自動付与される固有の識別情報である。ユーザ端末１５００のＯＳによって、アプリ（アプリケーションプログラム）のインストール毎にユニークに発行されるＩＤであり、ユーザ端末１５００が異なれば異なるＩＤであり、また同一のユーザ端末１５００であっても再インストール時には異なるＩＤが発行される。
【００５２】
図７は、本実施形態における個体識別情報をユーザ端末１５００からロケーション装置１３００へ提供する方法を示す図である。ロケーション装置１３００は、撮影開始前に、タッチパネル１３０６にて受付開始画面Ｗ１０を表示させる（図７（１））。当該画面には、予めユーザ端末１５００にインストールされているプリ機アプリを実行させて、アプリＩＤとユーザアカウントと電子メールアドレスとを含む２次元コードをタッチパネル１５０６に表示させ、当該２次元コードをロケーション装置１３００のカメラ部１３０８の前にかざすように促す案内表示が含まれる。ユーザ２がこれに従うと、ロケーション装置１３００はカメラ部１３０８でこの２次元コードを撮影して読み取り、当該コードに含まれているアプリＩＤ等の個体識別情報を取得することができる。
【００５３】
ロケーション装置１３００は、最初の２次元コードを撮影して読み取ると、所定時間（例えば、９０秒）が経過するまで、連続受付画面Ｗ１２を表示して（図７（２））、連続的に別のユーザ端末１５００が表示する２次元コードを読み取る（受け付ける）。つまり、複数のユーザが一緒に撮影に臨んだ場合には、２次元コードの読み取りによって、連続的に各ユーザのアプリＩＤとユーザアカウントおよび電子メールアドレスを取得できるように構成されている。
【００５４】
図８は、アクセス情報を伝送する伝送先の情報をロケーション装置１３００へ入力する方法について説明するための図である。本実施形態では、伝送先情報として電子メールアドレスを入力する。ロケーション装置１３００は、２次元コードを読み取った数が所定数以下の場合には、伝送先情報の入力を要求して、アクセス情報をユーザ２に伝える確実性を向上させる。例えば、所定数が「１」であれば、２次元コードを読み取った数が「０」や「１」であった場合には、ロケーション装置１３００が伝送先情報の入力をユーザ２に要求して、入力された伝送先にアクセス情報を伝送する。ユーザ２がユーザ端末１５００を所持していない場合や、所持していてもプリ機アプリをインストールしていない場合でもユーザ２がアクセス情報を確実に取得するために実行される。
【００５５】
具体的には、ロケーション装置１３００は、タッチパネル１３０６に伝送先情報入力画面Ｗ１４を表示させる。当該画面には、ソフトウェアキーボード２３が表示されるとともに、伝送先情報としての電子メールアドレスの入力を促すテキストが表示される。
【００５６】
また、ロケーション装置１３００は、２次元コードの読み取り、及び、アクセス情報の入力がなされた後、図９に示すように、アクセス情報提示画面Ｗ１６を表示させて、その場でアクセス情報２５をユーザ２に提示するとともに、これを記憶するように促すテキストを表示する。ユーザ２は、アクセス情報提示画面Ｗ１６を撮影したり、メモを取る等して、アクセス情報２５を取得することができる。
【００５７】
図１０は、ユーザ端末１５００でサーバシステム１１００に保存されている撮影画像のデータにアクセスできるようになるまでの過程について説明する図である。
ロケーション装置１３００は、保存リクエストとともに、読み取った２次元コードに基づくデコード情報５２０（アプリＩＤ、ユーザアカウント、電子メールアドレスとを含む）と、撮影時に自動生成された固有のアクセス情報５２２と、撮影データセット５４０と、をサーバシステム１１００へ送信する（ｉ）。なお、撮影データセット５４０は、撮影されたオリジナル撮影画像１０のデータと、各レイヤーのデータと、印刷用統合画像２０のデータとを含む。
【００５８】
サーバシステム１１００は、当該保存リクエストを受信すると、受信したデコード情報５２０から抜き出したアプリＩＤ等の個体識別情報と、アクセス情報と、受信した撮影データセット５４０とを対応づけてストレージ１１４０に記憶・保存する。そして、通知システムサーバ１６００へ向けて、所定の通知実行リクエストとともに、保存した個体識別情報のうちのアプリＩＤ６１２ｓと、アクセス情報６１１ｓとを送信する（ｉｉ）。
【００５９】
通知システムサーバ１６００は、当該通知実行リクエストを受信すると、公知技術と同様にして、サーバシステム１１００から受信したアプリＩＤ６１２ｓを通知アドレスとして、サーバシステム１１００から受信したアクセス情報６１１ｓを含むプッシュ通知を実行する（ｉｉｉ）。
【００６０】
ユーザ端末１５００は、プッシュ通知を受信することでアクセス情報５３８を取得・記憶することができる。ユーザ２は、ユーザ端末１５００でプリ機アプリを起動させてサーバシステム１１００にアクセスし（ｉｖ）、プッシュ通知で得たアクセス情報５３８と、プリ機アプリのユーザ登録時に設定・記憶されたユーザアカウント５３２とを用いて認証を受け、サーバシステム１１００に保存されていた撮影画像のデータを取得することができるようになる（ｖ）。
【００６１】
なお、本実施形態におけるアクセス情報の提供は、アプリＩＤを用いた通知に加えて、被印刷媒体８の所定のアクセス情報印字部２２への印刷によっても実現される（図４参照）。また、サーバシステム１１００が提供するウェブサイトのＵＲＬ２１も印字される（図４参照）。
【００６２】
図１１は、ロケーション装置１３００に２次元コードを読み取らせなかった場合に、ユーザ端末１５００が撮影画像のデータにアクセスできるようになるまでの過程を説明するための図である。
ロケーション装置１３００は、保存リクエストとともに、２次元コードを読み取れなかった場合でも、撮影時に自動生成された固有のアクセス情報５２２と、撮影データセット５４０と、をサーバシステム１１００へ送信する（ア）。
一方、ユーザ２は、撮影当時ユーザ端末１５００を所持していなかったり、所持していてもプリ機アプリをインストールしていなかった場合であっても、伝送先情報入力画面Ｗ１４に入力した電子メールアドレス宛に伝送されることでアクセス情報を取得したり（イ）、アクセス情報提示画面Ｗ１６からアクセス情報を取得することができる（ウ）。
【００６３】
ユーザ２は、取得したアクセス情報に基づいて、サーバシステム１１００にアクセスすることで（エ）、サーバシステム１１００に保存されていた撮影画像のデータを取得することができる。ただし、ブラウザからのアクセスであったり、ユーザ登録がなされていないプリ機アプリからのアクセスの場合には、撮影画像のデータを閲覧できるのみである（オ）。ユーザ登録がなされたプリ機アプリからのアクセスであれば、画像編集ができることは勿論である。
【００６４】
なお、個体識別情報をロケーション装置１３００へ提供する方法は、ユーザ端末１５００を使用する方法に限らず、別の記憶媒体から読み取るとしてもよい。例えば、ユーザ２が電子メールアドレスを記憶したＩＣカード６を所持しているケースを想定して、ＩＣカード読取装置１３６２を用いて当該アドレスを読み出すとしてもよい（図２参照）。あるいは、アクセス情報返信用アドレスをタッチパネル１３０６に表示させるとともに、当該アドレスに空メールを送信するようにユーザ２に促すテキストを表示する受動的な方法をサポートするとしてもよい。更には、それらの方法の何れかをユーザ２が任意に選択できる構成としてもよい。
【００６５】
さて、プリ機アプリをインストールし、ユーザ登録が済んだユーザ端末１５００においては、サーバシステム１１００に保存されていた撮影画像のデータを取得すると端末別に画像編集が可能となり、被印刷媒体８に印刷された印刷用統合画像２０とは別の構成の画像をユーザ２に提供することが可能となる。そして、編集過程のデータを認証に使用したアクセス情報と対応づけてサーバシステム１１００に保存させることができるとともに、同じアクセス情報で他のユーザ端末における編集過程のデータも閲覧することが可能となる。
【００６６】
図１２〜図１３は、サーバシステム１１００からアクセス認証を得たユーザ端末１５００にて表示される画像編集画面の例を示す図である。
ユーザ端末１５００における画像編集画面Ｗ３は、基本的にはロケーション装置１３００にて表示される印刷用画像編集画面Ｗ２（図６参照）とほぼ同様の表示を有するが、レイヤー表示設定部５０と、セーブ操作アイコン３７と、統合画像保存操作アイコン３９とを有する点が異なる。
【００６７】
撮影後、初めてプリ機アプリを起動した時点の自ユーザの編集過程は、ロケーション装置１３００で印刷された印刷用統合画像２０を統合する前の状態とされる。つまり、印刷用統合画像２０の内容から編集をスタートさせる。
【００６８】
レイヤー表示設定部５０は、自ユーザと他ユーザの各編集過程のレイヤーを表示する。図示の例では、レイヤー表示設定部５０にて、自ユーザと他ユーザとの計２名分のレイヤーを縦並びにまとめて表示している。具体的には、１ユーザ分を、ユーザアカウント５２と、前景レイヤーサムネイル５４と、背景レイヤーサムネイル５６との順で縦に配列してまとめて表示する。人物レイヤー１４と人物影レイヤー１６は固定なのでサムネイルは表示されない。図示の例では、左列が自ユーザに右列が他ユーザにそれぞれ割り当てられている。図示の例では２名分だが、更に多くのユーザの分を表示するとしてもよい。例えばスクロール表示などで任意の２名分を選択的に表示可能にすると好適である。
【００６９】
そして、レイヤー表示設定部５０では、レイヤー毎の表示／非表示の設定操作が可能である。サムネイルをタッチする毎に表示／非表示が切り換えられ、表示状態のサムネイルには表示対象アイコン６０が添付表示される。そして、表示に設定されたサムネイルに対応するレイヤーは、プレビュー３０にて表示される。図１２と図１３は、前景レイヤーの表示設定違いに相当する。なお、複数のユーザアカウントに対応する同種のレイヤーがともに表示に設定されている場合には、自ユーザに対応するレイヤーを上位階層に配置・表示するものとする。
【００７０】
このように、他ユーザの編集過程を自在に閲覧することが可能であるが、編集対象は自ユーザのレイヤーに限られる。本実施形態では、編集対象のレイヤーのサムネイルに編集対象バッジ６２を添付表示して識別可能としている。また、図１３に示すように、他ユーザのレイヤーのサムネイルにタッチ操作すると、当該サムネイルに対応するレイヤーが編集対象外である旨を告げる編集不可通知４８を一時的に表示させることができる。
【００７１】
編集過程は、セーブ操作アイコン３７をタッチ操作することにより、任意のタイミングでサーバシステム１１００に保存させることができる。
【００７２】
そして、画像編集画面Ｗ３のプレビュー３０で表示されている内容が満足に仕上がったならば、統合画像保存操作アイコン３９をタッチ操作して、プレビュー３０で表示されている内容の統合画像を生成してユーザ端末１５００にて保存することができる。そうして保存された画像はもはや再編集不可能な状態であるが、汎用の画像ファイル形式で生成・保存されるため、友人に電子メールで配布したり壁紙に設定するなど自由に利用できる。
【００７３】
なお、ユーザ端末１５００における画像編集では、標準で用意される標準背景テンプレート画像に加えて、オンラインショッピングで購入した有料背景テンプレート画像も選択肢として使用できるものとする。同様に、スタンプオブジェクト１３ｂ（図５参照）についても、標準スタンプオブジェクトに加えて、オンラインショッピングで購入した有料スタンプオブジェクトを選択肢として使用できるものとする。
【００７４】
図１４は、ユーザ登録がなされていないプリ機アプリからサーバシステム１１００にアクセスした場合にユーザ端末１５００に表示される画像閲覧画面Ｗ４の例を示す図であり、図１５は、ブラウザ（ブラウザアプリ）からサーバシステム１１００にアクセスした場合にユーザ端末１５００に表示される画像閲覧画面Ｗ５の例を示す図である。何れの画像閲覧画面Ｗ４，Ｗ５においても、アクセス情報入力欄４１からアクセス情報を入力することで、サーバシステム１１００に保存された撮影画像のデータを閲覧することができる。但し、閲覧できる画像は、ロケーション装置１３００で印刷された印刷用統合画像２０であり、画像サイズ（表示できるサイズ）は、図１２や図１３に示した画像編集画面よりも小さい。いわゆるサムネイル程度の画像サイズとしてもよいことは勿論である。なお、ロケーション装置１３００にて撮影され、サーバシステム１１００に保存された撮影画像の数をＮ枚（Ｎ≧２）とするならば、画像閲覧画面Ｗ４，Ｗ５で閲覧可能な画像数をＭ枚（Ｎ＞Ｍ）に制限することとしてもよい。
【００７５】
図１４に示すように、画像閲覧画面Ｗ４には、ユーザ登録をすることによって、拡大表示や画像編集が可能になることを示すメッセージとともに、ユーザ登録ボタン４３が表示される。ユーザ登録ボタン４３を操作することで、ユーザ登録をすることができる。
また、図１５に示すように、ブラウザに表示される画像閲覧画面Ｗ５には、拡大表示や画像編集にはプリ機アプリが必要であることを示すメッセージとともに、プリ機アプリのダウンロードボタン４４が表示される。ダウンロードボタン４４を操作することで、プリ機アプリを外部システム（例えば、サーバシステム１１００でもよい）からダウンロードしてインストールすることができる。
【００７６】
本実施形態において、更なる特徴の１つとして、「特別画像」の使用許諾方法がある。図１６〜１９を参照して説明する。
特別画像は、通常では使用することのできない特別な画像であり、種類としては、テキストオブジェクト１３ａやスタンプオブジェクト１３ｂ等の装飾オブジェクト１３（図５参照）や、背景レイヤー１８とすることができる背景テンプレート画像等とすることができる。本実施形態では、特別画像は、スタンプオブジェクト１３ｂとして利用される画像であるとして説明する。
【００７７】
特別画像を使用するためには、まず、その特別画像を使用可能とするための使用許可要求コードを取得する必要がある。使用許可要求コードとは、使用可能とする画像（特別画像）の識別情報と、当該画像を使用可能とさせるための指示情報とを含むコードである。図１６は、書籍に記載されていた使用許可要求コードを示す二次元コードをユーザ端末１５００が撮影して取得する例を示す図である。使用許可要求コードは、二次元コードではなく、文字列であってもよい。文字列の場合には、ユーザ２がテキスト入力することで、ユーザ端末１５００に入力することができる。また、使用許可要求コードは、雑誌に掲載されたり、展示会で配布されるチラシやカードに掲載されたり、ロケーション装置１３００が配置された施設で掲示されたり、ロケーション装置１３００のメーカホームページに掲示されたりする。
【００７８】
ユーザ端末１５００に使用許可要求コードが入力された場合、ユーザ端末１５００は、ロケーション装置１３００に向けて生成・表示する２次元コードを（図７参照）、個体識別情報の他に更に使用許可要求コードを含めた２次元コードとして生成する。ロケーション装置１３００は、この２次元コードを読み取り、２次元コードに使用許可要求コードが含まれる場合には、含まれていた使用許可要求コードに対応する特別画像を、画像編集において使用可能に提供する。
【００７９】
図１７は、ロケーション装置１３００において、印刷前の画像編集過でタッチパネル１３０６に表示される印刷用画像編集画面Ｗ２の例を示す図である。図６に示した印刷用画像編集画面Ｗ２と同じ画面構成であるが、編集操作パネル３２において、「スタンプ」のタブが選択されたことで、通常スタンプ４６が表示されている。また、ロケーション装置１３００が読み取った２次元コードに含まれていた使用許可要求コードに対応する特別画像のスタンプとして、特別スタンプ４７が表示されている。２次元コードに使用許可要求コードが含まれていない場合には、通常スタンプ４６のみが表示・使用可能となるが、使用許可要求コードが含まれていたため、特別スタンプ４７が追加表示・使用可能となる。
【００８０】
図１８は、ユーザ端末１５００にて表示される画像編集画面の例を示す図である。図１２，１３に示した画像編集画面Ｗ３と同じ画面構成であるが、編集操作パネル３２において、「スタンプ」のタブが選択されたことで、通常スタンプ４６が表示されている。また、使用許可要求コードがユーザ端末１５００に入力されたため、通常スタンプ４６に加えて、使用許可要求コードに対応する特別画像の特別スタンプ４７が表示・使用可能となっている。
【００８１】
使用許可要求コードが作用する範囲はこればかりでない。使用許可要求コードを入力したユーザ端末１５００以外にも作用し得る。図１９は、使用許可要求コードを入力したユーザ端末１５００以外においても、使用許可要求コードが作用する例を示す図である。
【００８２】
まず、雑誌等から使用許可要求コードを入力したユーザ端末１５００Ａが生成する２次元コードには、個体識別情報の他に使用許可要求コードが含まれている。これらを含めたデコード情報５２０（アプリＩＤ、ユーザアカウント、電子メールアドレス、使用許可要求コードを含む）と、アクセス情報５２２と、撮影データセット５４０とを、保存リクエストともに、ロケーション装置１３００が、サーバシステム１１００へ送信する（ａ）。
【００８３】
サーバシステム１１００は、受信したデコード情報５２０から抜き出したアプリＩＤ等の個体識別情報と、使用許可要求コードと、アクセス情報と、撮影データセット５４０とを対応付けてストレージ１１４０に記憶・保存する。なお、図示していないが、通知システムサーバ１６００へ向けて、所定の通知実行リクエストとともに、保存した個体識別情報のうちのアプリＩＤ６１２ｓと、アクセス情報６１１ｓとを送信することは、図１０に示した例と同様である。
【００８４】
使用許可要求コードを入力していないユーザ端末１５００Ｂは、何らかの方法でアクセス情報５２２を入手する必要がある。例えば、ロケーション装置１３００の伝送先情報入力画面Ｗ１４（図８参照）にて、アクセス情報の伝送先として、ユーザ端末１５００Ｂに対応する電子メールアドレスを入力した場合には、電子メールにてアクセス情報５２２を入手することができる（ｂ）。また、ロケーション装置１３００のアクセス情報提示画面Ｗ１６（図９参照）に表示されたアクセス情報を手入力することで、アクセス情報５２２を入手することもできる（ｃ）。更に、これらアクセス情報５２２を入手した人から、何らかの方法（例えば電子メール等）で人づてにアクセス情報を入手することもできる（ｃ）。
【００８５】
アクセス情報５２２を入手したユーザ端末１５００Ｂが、当該アクセス情報５２２に基づいてサーバシステム１１００にアクセスした場合、ユーザ端末１５００Ｂにプリ機アプリがインストールされ、ユーザ登録が済んでいれば、当該アクセス情報５２２およびユーザアカウント５３２を用いて認証を受けることで（ｄ）、サーバシステム１１００に保存されていた撮影画像のデータを取得・編集することができるようになる（ｆ）。このとき、サーバシステム１１００には、アクセス情報に対応付けて使用許可要求コードが保存されているため、サーバシステム１１００は、その使用許可要求コードに基づく特別画像の使用許可指示をユーザ端末１５００Ｂに送信する（ｅ）。ユーザ端末１５００Ｂは、この使用許可指示を受けて、対応する特別画像を使用可能とする。すなわち、ユーザ端末１５００Ａにおいて、使用許可要求コードを入力した場合と同様、ユーザ端末１５００Ｂの画像編集画面において、対応する特別画像の特別スタンプを使用することができる。
【００８６】
〔ロケーション装置の機能構成の説明〕
次に、本実施形態を実現するための機能構成例について説明する。
図２０は、本実施形態におけるロケーション装置１３００の機能構成例を示す機能ブロック図である。本実施形態におけるロケーション装置１３００は、操作入力部１００と、撮影部１０２と、コイン投入部１０４と、ＩＣカード読取部１０６と、処理部２００と、印刷部３６０と、画像表示部３７２と、通信部３７４と、記憶部５００とを備える。
【００８７】
操作入力部１００は、各種操作を入力するための手段である。キーボード、マウス、トラックパッド、ジェスチャー入力装置など、公知の入力デバイスにより実現できる。図２の例ではタッチパネル１３０６が該当する。
【００８８】
撮影部１０２は、ユーザを撮影し、撮影した画像のデータを処理部２００へ出力する。レンズやフィルターの光学部品、ＣＣＤやＣＭＯＳなどのイメージセンサー、画像処理ＩＣカード読み取り部などにより実現される。図２の例ではカメラ部１３０８がこれに該当する。
【００８９】
コイン投入部１０４は、１枚毎のコイン投入を受け付け、投入検知信号を処理部２００へ出力する。図２の例ではコイン投入装置１３０２が該当する。
【００９０】
ＩＣカード読取部１０６は、ＩＣカード６からのデータ読み取りと、データの書き込みをする。図２の例ではＩＣカード読取装置１３６２が該当する。
【００９１】
処理部２００は、例えばＣＰＵやＧＰＵ等のマイクロプロセッサや、ＡＳＩＣ（特定用途向け集積回路）、ＩＣメモリなどの電子部品によって実現され、操作入力部１００や記憶部５００を含む各機能部との間でデータの入出力制御を行う。そして、所定のプログラムやデータ、操作入力部１００からの操作入力信号などに基づいて各種の演算処理を実行して、ロケーション装置１３００の動作を統合的に制御する。図２の例では制御基板１３５０が該当する。
【００９２】
そして、処理部２００は、情報取得制御部２０２と、アクセス情報生成部２０４と、アクセス情報表示制御部２０５と、印刷画像編集部２１０と、データ送信制御部２２０と、印刷制御部２２２と、画像生成部２７２と、通信制御部２７４とを含む。
【００９３】
情報取得制御部２０２は、個体識別情報及び使用許可要求コードを取得するための制御をする。具体的には、ユーザ端末１５００にインストールされているプリ機アプリのアプリＩＤ等の入力受け付けに係る受付開始画面Ｗ１０や連続受付画面Ｗ１２の表示制御、２次元コードの撮影・読み取り、デコード等を実行する（図７参照）。
【００９４】
アクセス情報生成部２０４は、サーバシステム１１００に保存されている画像データにアクセス認証に必要なアクセス情報を生成する。例えば、公知のオートパスワード生成技術を用いることができる。例えば、ＭＡＣアドレスやＩＰアドレス、アプリＩＤなどを変数とする所定の関数で文字列を生成するなどとしてもよい。
【００９５】
アクセス情報表示制御部２０５は、アクセス情報提示画面Ｗ１６（図９参照）を表示して、アクセス情報生成部２０４によって生成されたアクセス情報を表示する制御を行う。
【００９６】
印刷画像編集部２１０は、印刷用画像編集画面Ｗ２を表示させて、当該画面での画像編集操作入力の結果に応じて、撮影部１０２で撮影されたオリジナル撮影画像に各種画像処理を施して印刷用統合画像２０（図４参照）を生成する。
本実施形態では、
１）オリジナル撮影画像１０から人物レイヤー１４のデータ（レイヤーデータ）を生成する人物レイヤー生成部２１１と、
２）オリジナル撮影画像１０あるいは人物レイヤー１４から人物影レイヤー１６のレイヤーデータを生成する人物影レイヤー生成部２１３と、
３）最初に空の前景レイヤー１２のレイヤーデータを生成し、印刷用画像編集画面Ｗ２における操作入力に応じて装飾オブジェクト１３を配置したり、使用許可要求コードに対応する特別画像の特別スタンプ４７を配置するなどしてデータを更新する前景レイヤー生成部２１５と、
４）背景レイヤー１８のレイヤーデータを生成する背景レイヤー生成部２１７と、
５）印刷用統合画像生成部２１９と、を有する。
本実施形態では、背景レイヤー１８は、背景テンプレート画像から何れかを選択する構成である。よって、背景レイヤー１８のレイヤーデータは、背景テンプレート画像を識別する画像ＩＤとするが、別途、画像ファイルをユーザ端末１５００から通信で取得して設定する構成も可能であり、その場合の背景レイヤー１８のレイヤーデータは画像データとなる。
【００９７】
データ送信制御部２２０は、サーバシステム１１００にて保存させるために、撮影に伴い生成されたデータ一式、すなわち撮影データセット５４０と、アクセス情報と、取得した個体識別情報と、取得した使用許可要求コードとを対応づけて送信する制御を行う。また、アクセス情報の伝送先として入力された電子メールアドレスへ、アクセス情報を含めた電子メールを送信する制御を行う。
【００９８】
印刷制御部２２２は、印刷部３６０を制御する。本実施形態では、印刷用統合画像２０とともにアクセス情報を被印刷媒体８に印刷させる（図４参照）。
【００９９】
画像生成部２７２は、操作案内画面を表示させるための画像データを生成し、画像信号を画像表示部３７２へ出力することができる。
【０１００】
画像表示部３７２は、画像生成部２７２から入力される画像信号に基づいて各種画像を表示する。例えば、フラットパネルディスプレイ、ブラウン管（ＣＲＴ）、プロジェクターといった画像表示装置によって実現できる。図２の例ではタッチパネル１３０６が該当する。
【０１０１】
通信制御部２７４は、データ通信に係るデータ処理を実行し、通信部３７４を介して外部装置とのデータのやりとりを実現する。
【０１０２】
通信部３７４は、通信回線９と接続して通信を実現する。例えば、無線通信機、モデム、ＴＡ（ターミナルアダプタ）、有線用の通信ケーブルのジャックや制御回路等によって実現される。図２の例では通信モジュール１３５３が該当する。
【０１０３】
印刷部３６０は、撮影画像を所定の被印刷媒体に印刷して出力する。図２の例では印刷装置１３６０がこれに該当する。
【０１０４】
記憶部５００は、処理部２００にロケーション装置１３００を統合的に制御させるための諸機能を実現するためのプログラムや各種データ等を記憶する。また、処理部２００の作業領域として用いられ、処理部２００が実行した演算結果などを一時的に記憶する。この機能は、例えばＲＡＭやＲＯＭなどのＩＣメモリ、ハードディスク等の磁気ディスク、ＣＤ−ＲＯＭやＤＶＤなどの光学ディスクなどによって実現される。図２の例ではＩＣメモリ１３５２がこれに該当する。
【０１０５】
そして、本実施形態の記憶部５００は、制御プログラム５０１と、背景テンプレート画像データ５１０と、装飾オブジェクト用のフォントデータ５１２およびスタンプオブジェクトデータ５１６と、特別スタンプのオブジェクトデータである特別画像データ５１７と、デコード情報５２０と、アクセス情報５２２と、撮影データセット５４０と、を記憶する。その他、タイマや、コイン投入数などのカウンタ、各種フラグなどの情報を適宜記憶できる。
【０１０６】
制御プログラム５０１は、処理部２００が読み出して実行することでコンピュータとして必要な基本的な入出力機能を実現し、情報取得制御部２０２〜印刷制御部２２２の各部の機能を実現するためのプログラムである。図では１つのプログラムとして示しているが、複数のプログラムで構成されるとしてもよいのは勿論である。
【０１０７】
背景テンプレート画像データ５１０は、背景テンプレート画像を定義するデータであって、背景画像ＩＤと対応づけて、画像データ（あるいは画像を生成するためのデータ）とを格納する。背景テンプレート画像サムネイル３３（図６参照）も格納しておくとしてもよい。
【０１０８】
デコード情報５２０は、撮影部１０２で撮影・読み取った２次元コードをデコードして得られる。デコード情報５２０には個体識別情報が含まれる。個体識別情報は、ユーザ２、ユーザ端末１５００、或いは、ユーザ端末１５００に記憶されたプリ機アプリといった画像編集の主体（個体）をユニークに識別するための情報であり、アプリＩＤと、ユーザアカウントと、電子メールアドレスとが含まれる。デコード情報５２０には、当然一緒に撮影した人数分のデコード情報５２０が記憶されることになる。また、デコード情報５２０には、特別画像の使用を許可するための使用許可要求コマンドが含まれている場合がある。
【０１０９】
撮影データセット５４０は、今回の撮影に関連する画像データ一式を対応付けて格納する。例えば図２１に示すように、オリジナル撮影画像データ５４２と、人物レイヤーデータ５４４と、人物影レイヤーデータ５４６と、背景レイヤーデータ５４８（本実施形態では背景テンプレート画像の背景画像ＩＤとなる）と、前景レイヤーデータ５５０と、印刷用統合画像データ５６０とを含む。勿論、これら以外のデータも適宜格納することができる。
【０１１０】
前景レイヤーデータ５５０には、装飾オブジェクト１３毎の装飾データ５５２が格納される。１つの装飾データ５５２には、装飾内容を定義する装飾要素データ５５４と配置位置データ５５６と配置姿勢データ５５８とが含まれる。特別スタンプが使用された場合には、その特別スタンプのＩＤである特別画像ＩＤが装飾要素データ５５４に含まれる。
【０１１１】
〔サーバシステムの機能構成の説明〕
図２２は、本実施形態におけるサーバシステム１１００の機能構成例を示す機能ブロック図である。サーバシステム１１００は、操作入力部１００ｓと、サーバ処理部２００ｓと、画像表示部３７２ｓと、通信部３７４ｓと、サーバ記憶部５００ｓとを備える。
【０１１２】
操作入力部１００ｓは、サーバシステム１１００の管理のための各種操作を入力するための手段である。図１の例ではキーボード１１０６が該当する。
【０１１３】
サーバ処理部２００ｓは、例えばＣＰＵやＧＰＵ等のマイクロプロセッサや、ＡＳＩＣ（特定用途向け集積回路）、ＩＣメモリなどの電子部品によって実現され、操作入力部１００ｓやサーバ記憶部５００ｓを含む各機能部との間でデータの入出力制御を行う。そして、所定のプログラムやデータ、操作入力部１００ｓからの操作入力信号、ユーザ端末１５００から受信したデータに基づいて各種の演算処理を実行して、サーバシステム１１００の動作を統合的に制御する。図１の例では制御基板１１５０が該当する。
【０１１４】
そして、本実施形態のサーバ処理部２００ｓは、アカウント管理部２０１と、撮影画像管理部２５０と、画像生成部２７２ｓと、通信制御部２７４ｓとを含む。
【０１１５】
アカウント管理部２０１は、オンラインでのユーザ登録手続き、ログインに係る処理、フレンドユーザの管理に係る処理、及び、ロケーション装置１３００で撮影した履歴を管理する処理を行う。登録手続きを経たユーザすなわちプレーヤに対しては固有のユーザアカウントを発給し、必須登録情報の１つとして電子メールアドレスをユーザに設定させることができる。また、ユーザ端末１５００からの操作入力に従って、フレンドユーザを登録したり削除したりすることができる。また、ロケーション装置１３００から受信したデコード情報５２０に含まれている個体識別情報に基づき、当該個体識別情報に含まれているユーザが、ロケーション装置１３００を利用した、すなわち撮影行為を行ったとしてその履歴（日時）を管理することができる。これらの情報は、ユーザ登録データベース５９０にユーザ別のユーザ登録データ５９２として記憶・管理される。アカウント管理部２０１は、管理手段の一例である。
【０１１６】
撮影画像管理部２５０は、ロケーション装置１３００から受信した画像データの記憶および配信を管理する。具体的には、画像データ受信制御部２５２と、画像データ記憶管理部２５４と、通知依頼制御部２５６と、編集用通信制御部２５８と、を有する。
【０１１７】
画像データ受信制御部２５２は、ロケーション装置１３００から保存対象のデータと、個体識別情報と、使用許可要求コードと、アクセス情報とを取得するための制御をする。具体的には、撮影データセット５４０と、デコード情報５２０と、アクセス情報５２２との受信制御をする（図１０，図１１，図１９参照）。
【０１１８】
画像データ記憶管理部２５４は、撮影データセット５４０と、デコード情報５２０と、アクセス情報５２２とに基づいて撮影画像データベース６００にセーブデータセット６１０を生成・記憶し、管理する。
【０１１９】
１つのセーブデータセット６１０は、例えば図２３に示すように、認証用アクセス情報６１１と、アクセス許可アプリＩＤリスト６１２と、アクセス許可ユーザアカウントリスト６１３と、アクセス許可電子メールアドレスリスト６１４と、オリジナル撮影データセット６１５と、特別画像使用許諾リスト６１６と、編集過程セーブデータ６２０と、を含む。
【０１２０】
認証用アクセス情報６１１は、ロケーション装置１３００から受信したアクセス情報５２２である。ユーザ端末１５００による画像編集時の認証に利用される。
【０１２１】
アクセス許可アプリＩＤリスト６１２と、アクセス許可ユーザアカウントリスト６１３と、アクセス許可電子メールアドレスリスト６１４との３つのリストは、当該セーブデータセット６１０へのアクセス認証のための個体識別情報のリストである。すなわち、アクセス許可アプリＩＤリスト６１２は、ロケーション装置１３００から受信したデコード情報５２０に含まれていたアプリＩＤのリストである。アクセス許可ユーザアカウントリスト６１３は、ロケーション装置１３００から受信したデコード情報５２０に含まれていたユーザアカウントのリストである。そして、アクセス許可電子メールアドレスリスト６１４は、ロケーション装置１３００から受信したデコード情報５２０に含まれていた電子メールアドレスのリストである。
【０１２２】
オリジナル撮影データセット６１５は、ロケーション装置１３００から受信した撮影データセット５４０（図１２参照）である。
【０１２３】
特別画像使用許諾リスト６１６は、特別画像１つ１つの使用許否を定めたリストであり、特別画像を識別するための特別画像ＩＤごとに使用許否が定められる。ロケーション装置１３００から受信したデコード情報５２０に使用許可要求コードが含まれていた場合に、当該使用許可要求コードに対応する特別画像の使用許否が使用可（使用許諾）に設定される。
【０１２４】
編集過程セーブデータ６２０は、画像編集に利用されたユーザ端末１５００毎、本実施形態では実質的にユーザ２毎に作成されて、ユーザ端末１５００での画像編集の過程を定義するデータを格納する。
【０１２５】
１つの編集過程セーブデータ６２０には、例えば、当該データを編集した主体としてのユーザかユーザ端末１５００かプリ機アプリかを識別するためのデータとして、編集者識別用アプリＩＤ６２１と、編集者識別用ユーザアカウント６２３と、編集者識別用電子メールアドレス６２４とが含まれる。また、更新日時６２５が含まれる。更に、編集過程の各レイヤーの状況を定義するデータとして、人物レイヤーデータ６４４、人物影レイヤーデータ６４６、背景レイヤーデータ６４８、前景レイヤーデータ６５０、を含む。勿論、これら以外のデータも適宜格納することができる。
【０１２６】
人物レイヤーデータ６４４、人物影レイヤーデータ６４６、背景レイヤーデータ６４８、前景レイヤーデータ６５０は、当該編集過程セーブデータ６２０が初回生成されるときに、オリジナル撮影データセット６１５の人物レイヤーデータ５４４、人物影レイヤーデータ５４６、背景レイヤーデータ５４８、前景レイヤーデータ５５０（図２１参照）からコピーされて初期化される。つまり、ユーザ端末１５００での画像処理は、ロケーション装置１３００で印刷された画像の内容からスタートすることになる。そして、これらはユーザ端末１５００にてセーブ操作アイコン３７（図１２参照）への操作が検出されたことを契機に、ユーザ端末１５００より送られてくる編集過程のデータに基づいて逐次更新される。
【０１２７】
前景レイヤーデータ６５０には、一種のベクタ形式のデータとなっており、１つ１つの編集を装飾とみなした装飾データ６５２が格納される。装飾データ６５２には、装飾要素データ６５４と、配置位置データ６５６と、配置姿勢データ６５８と、サイズデータ６５９とが含まれる。装飾要素データ６５４には、当該装飾が手書き入力（ペン入力など）であるか、テキスト入力であるか、スタンプであるかといった装飾の種別を示す識別情報が含まれ、さらにテキスト入力であればそのテキスト内容を、スタンプであればそのスタンプＩＤが含まれる。特別画像であれば特別画像ＩＤが含まれる。配置位置データ６５６は、当該装飾の配置位置のデータである。手書き入力であれば、手書き入力された座標値の集合のデータとなる。配置姿勢データ６５８は、当該装飾の配置向きのデータである。サイズデータ６５９は、当該装飾の大きさのデータであり、基本となる装飾データからの拡大率や縮小率などのプロパティデータが含まれる。
【０１２８】
なお、本実施形態では前景レイヤーデータ６５０をベクタ形式のデータとして説明するが、ラスタ形式（例えばＪＰＥＧ画像）のデータとしてもよい。その場合、編集を終了して保存する際にラスタ形式（例えば、ＪＰＥＧ画像）のデータに変換して保存することとすればよい。
【０１２９】
図２２に戻って、通知依頼制御部２５６は、ロケーション装置１３００から受信した通知アドレス（本実施形態ではアプリＩＤ）へ向けてアクセス情報を通知するように通知システムサーバ１６００へ依頼する制御を行う。プッシュ通知の技術は、公知のプッシュ通知技術を適宜利用することで実現できる。
【０１３０】
編集用通信制御部２５８は、アクセス情報で認証されたユーザ端末１５００にて画像編集するためのデータを提供する機能を実現する。具体的には、１）ユーザ端末１５００から送信された個体識別情報とアクセス情報を受信制御して認証する機能と、２）認証したユーザ端末１５００へ当該アクセス情報に対応するセーブデータセット６１０に含まれるデータを当該ユーザ端末１５００へ送信する機能と、３）当該ユーザ端末１５００から編集過程に関するデータを受信する機能と、を実現する。
【０１３１】
画像生成部２７２ｓは、サーバシステム１１００の保守に関する画像等を生成し、画像表示部３７２ｓへ出力することができる。
【０１３２】
画像表示部３７２ｓは、画像生成部２７２ｓから入力される画像信号に基づいてシステム管理のための各種画像を表示する。例えば、フラットパネルディスプレイ、ブラウン管（ＣＲＴ）、プロジェクター、ヘッドマウントディスプレイといった画像表示装置によって実現できる。図１の例ではタッチパネル１１０８が該当する。
【０１３３】
通信制御部２７４ｓは、データ通信に係るデータ処理を実行し、通信部３７４ｓを介して外部装置とのデータのやりとりを実現する。
【０１３４】
通信部３７４ｓは、通信回線９と接続して通信を実現する。例えば、無線通信機、モデム、ＴＡ（ターミナルアダプタ）、有線用の通信ケーブルのジャックや制御回路等によって実現される。図１の例では通信装置１１５３が該当する。
【０１３５】
サーバ記憶部５００ｓは、サーバ処理部２００ｓにサーバシステム１１００を統合的に制御させるための諸機能を実現するためのシステムプログラムや、撮影画像データを記憶管理するために必要なプログラム、各種データ等を記憶する。また、サーバ処理部２００ｓの作業領域として用いられ、サーバ処理部２００ｓが各種プログラムに従って実行した演算結果などを一時的に記憶する。この機能は、例えばＲＡＭやＲＯＭなどのＩＣメモリ、ハードディスク等の磁気ディスク、ＣＤ−ＲＯＭやＤＶＤなどの光学ディスクなどによって実現される。図１の例では本体装置１１０１が搭載するＩＣメモリ１１５２やハードディスクなどの記憶媒体、及びストレージ１１４０がこれに該当する。
【０１３６】
そして、本実施形態におけるサーバ記憶部５００ｓは、サーバシステムプログラム５０５と、アカウント管理プログラム５０６と、撮影画像管理プログラム５０７と、ユーザ登録データベース５９０と、撮影画像データベース６００とを記憶する。その他、タイマやカウンタ、各種フラグなどの情報を適宜記憶できる。
【０１３７】
サーバシステムプログラム５０５は、サーバ処理部２００ｓが読み出して実行することでサーバシステム１１００にコンピュータとして必要な基本的な入出力機能を実現するためのシステムプログラムである。
【０１３８】
アカウント管理プログラム５０６と撮影画像管理プログラム５０７は、それぞれサーバ処理部２００ｓが読み出して実行することで、アカウント管理部２０１、撮影画像管理部２５０としての機能を実現させるためのプログラムである。なお、通知依頼制御部２５６を実現するためのプログラム部分は、通知システムサーバ１６００が公開するＡＰＩ（Application Programming Interface）などを適宜利用することで実現できる。
【０１３９】
ユーザ登録データベース５９０は、ユーザ端末１５００にてプリ機アプリを初回起動させたときに実行されるユーザ登録（ログイン登録）に伴って作成されるユーザ別のユーザ登録データ５９２を格納する。１つのユーザ登録データ５９２は、アプリＩＤと、ユーザアカウントと、電子メールアドレスとを格納する。また、ユーザ登録データ５９２は、当該ユーザがロケーション装置１３００を利用した履歴である撮影履歴データ５９３と、当該ユーザのフレンドユーザのデータであるフレンドデータ５９４とを格納する。勿論、これら以外のデータも適宜格納することができる。
【０１４０】
〔ユーザ端末の機能構成の説明〕
図２４は、本実施形態におけるユーザ端末１５００の機能構成例を示す機能ブロック図である。本実施形態におけるユーザ端末１５００は、操作入力部１００ｔと、撮影部１０２ｔと、端末処理部２００ｔと、画像表示部３７２ｔと、通信部３７４ｔと、端末記憶部５００ｔとを備える。
【０１４１】
操作入力部１００ｔは、ユーザによって為された各種の操作入力に応じて操作入力信号を端末処理部２００ｔに出力する。例えば、プッシュスイッチや、ジョイスティック、タッチパッド、トラックボール、加速度センサー、ジャイロ、ＣＣＤモジュール、などによって実現できる。図３の例では方向入力キー１５０２や、ボタンスイッチ１５０４、タッチパネル１５０６がこれに該当する。
【０１４２】
撮影部１０２ｔは、端末正面、すなわち画像表示部３７２ｔの画面表示方向の様子を撮影し、画像のデータを生成して端末処理部２００ｔに出力する。図３の例ではカメラ部１５０８が該当する。
【０１４３】
端末処理部２００ｔは、例えばＣＰＵやＧＰＵ等のマイクロプロセッサや、ＡＳＩＣ（特定用途向け集積回路）、ＩＣメモリなどの電子部品によって実現され、操作入力部１００ｔや端末記憶部５００ｔを含む各機能部との間でデータの入出力制御を行う。そして、所定のプログラムやデータに基づいて各種の演算処理を実行して、ユーザ端末１５００の動作を制御する。図３の例では制御基板１５５０がこれに該当する。
そして、本実施形態の端末処理部２００ｔは、コード生成部２３０と、使用許可要求コード入力部２３１と、コード表示制御部２３２と、通知受信制御部２３４と、個体識別情報送信制御部２３５と、編集処理部２３６と、ブラウザ制御部２３７と、電子メール制御部２３８と、特別画像管理部２３９と、画像生成部２７２ｔと、通信制御部２７４ｔとを備える。
【０１４４】
コード生成部２３０と、使用許可要求コード入力部２３１と、コード表示制御部２３２とは、プリ機アプリ５０３を実行することにより実現される。
【０１４５】
コード生成部２３０は、自機にプリ機アプリ５０３の配信を受け、インストールした際に付与された固有のアプリＩＤ５３１と、ユーザ登録時に設定・記憶されたユーザアカウント５３２及び電子メールアドレス５３３とを含む２次元コード５３４を生成する。使用許可要求コード入力部２３１により使用許可要求コード５３９が入力された場合には、使用許可要求コード５３９を更に含めて２次元コード５３４を生成する。生成方法は、適宜公知技術を用いることで実現できる。
【０１４６】
コード表示制御部２３２は、２次元コード５３４を画像表示部３７２ｔに表示させる。
【０１４７】
使用許可要求コード入力部２３１は、撮影部１０２ｔによる撮影や、操作入力部１００ｔからの操作入力によって使用許可要求コード５３９を入力するための機能部である。入力された使用許可要求コード５３９は端末記憶部５００ｔに格納される。
【０１４８】
特別画像管理部２３９は、使用許可要求コード入力部２３１によって入力された使用許可要求コード５３９や、サーバシステム１１００から送信される特別画像を指定した使用許可指示に従って、特別画像管理データ５３５を管理する。具体的には、使用許可要求コード５３９に合致するアンロックコードとなる特別画像を、使用許可要求コード５３９に対応する特別画像として選択し、当該特別画像の使用許否を使用可（使用許諾）として設定する。また、サーバシステム１１００から使用許可指示を受信した場合に、使用許可指示で指定された特別画像の使用許否を使用可（使用許諾）として設定する。
【０１４９】
通知受信制御部２３４は、通知システムサーバ１６００（図１参照）が提供するプッシュ通知に対応した受信制御を行い、通知を受信する毎にプッシュ通知データ５３６を端末記憶部５００ｔに記憶させる。プッシュ通知データ５３６には、自機を特定するための通知アドレス５３７（本実施形態ではアプリＩＤ５３１に同じ）と、付随したアクセス情報５３８とを格納する。また、アクセス情報５３８は、電子メールやテキスト入力によって入手され得る。そのため、図２４には、プッシュ通知データ５３６外にもアクセス情報５３８を図示する。
【０１５０】
個体識別情報送信制御部２３５は、自機に係る個体識別情報をサーバシステム１１００へ送信するための制御を行う。
【０１５１】
編集処理部２３６は、サーバシステム１１００と所定の通信制御を行い、アクセス情報５３８に対応づけてサーバシステム１１００に保存されているセーブデータセット６１０（図２３参照）を利用した画像編集処理を行う。
より具体的には、
１）アクセス情報５３８に対応付けられた自機の個体識別情報用および他機（他ユーザ）の個体識別情報用の編集過程セーブデータ６２０を取得して、それぞれ自編集過程データ７１０、他編集過程データ８１０として端末記憶部５００ｔに記憶させることができる。
２）そして、それらが定義する各種レイヤーデータの表示／非表示を選択可能に制御しつつも、自編集過程データ７１０に含まれる前景レイヤーと背景レイヤーのみ編集可能に制御する。
３）それに伴い、他編集過程データ８１０に含まれるレイヤーが編集不可能である旨の編集不可通知４８（図１３参照）を適宜表示させる。
４）そして、所定の統合画像操作を検出して、表示選択されているレイヤーデータを統合して１つの統合画像データ９００を生成し端末記憶部５００ｔに記憶させることができる。
５）また、編集が終了した場合には、自編集過程データ７１０をサーバシステム１１００に送信して、アクセス情報５３８に対応付けてサーバシステム１１００に記憶されていた自機の個体識別情報用の編集過程セーブデータ６２０を更新させる。
【０１５２】
なお、画像編集処理を行うためには、プリ機アプリ５０３がインストールされており、ユーザ登録がなされている必要がある。プリ機アプリ５０３がインストールされていない場合や、プリ機アプリ５０３がインストールされていてもユーザ登録がなされていない場合には、閲覧処理のみが実行される。閲覧処理部２４１は、この閲覧処理を実行するための機能部である。具体的には、ブラウザ制御部２３７により実行されるブラウザアプリ５０８によって閲覧処理部２４１が実現され、閲覧処理部２４１は、アクセス情報５３８を用いてサーバシステム１１００にアクセスし、編集過程セーブデータ６２０を統合した閲覧用画像データを受信して閲覧表示させる制御を行う。また、プリ機アプリ５０３を実行することによっても閲覧処理部２４１が実現され、同様に閲覧用画像データをサーバシステム１１００から受信して閲覧表示させる制御を行う。
【０１５３】
ブラウザ制御部２３７は、ブラウザアプリ５０８の実行によって実現される機能部である。電子メール制御部２３８は、電子メールアプリ５０９の実行によって実現される機能部である。
【０１５４】
画像生成部２７２ｔは、各種画面を表示させるための画像データを生成し、画像信号を画像表示部３７２ｔへ出力することができる。
画像表示部３７２ｔは、画像生成部２７２ｔから入力される画像信号に基づいて各種画像を表示する。図３の例ではタッチパネル１５０６が該当する。
【０１５５】
通信制御部２７４ｔは、データ通信に係るデータ処理を実行し、通信部３７４ｔを介して外部装置とのデータのやりとりを実現する。
【０１５６】
通信部３７４ｔは、通信回線９と接続して通信を実現する。例えば、無線通信機、モデム、ＴＡ（ターミナルアダプタ）、有線用の通信ケーブルのジャックや制御回路等によって実現される。図３の例では無線通信モジュール１５５３が該当する。
【０１５７】
端末記憶部５００ｔは、端末処理部２００ｔにユーザ端末１５００を統合的に制御させるための諸機能を実現するためのプログラムや各種データ等を記憶する。また、端末処理部２００ｔの作業領域として用いられ、端末処理部２００ｔが実行した演算結果などを一時的に記憶する。この機能は、例えばＲＡＭやＲＯＭなどのＩＣメモリ、ハードディスク等の磁気ディスク、ＣＤ−ＲＯＭやＤＶＤなどの光学ディスクなどによって実現される。図３の例ではＩＣメモリ１５５２がこれに該当する。
【０１５８】
そして、本実施形態の端末記憶部５００ｔは、端末システムプログラム５０２と、プリ機アプリ５０３と、通知受信アプリ５０４と、ブラウザアプリ５０８と、電子メールアプリ５０９と、背景テンプレート画像データ５１０と、フォントデータ５１２と、スタンプオブジェクトデータ５１６と、特別画像管理データ５３５とを記憶する。背景テンプレート画像データ５１０と、フォントデータ５１２と、スタンプオブジェクトデータ５１６とについては、それぞれ標準で用意される標準背景テンプレート画像データと、標準フォントデータと、標準スタンプオブジェクトデータとの他に、別途オンラインショッピングで購入したデータを含めることができる。また、特別スタンプ４７に係る特別画像データは、特別画像管理データ５３５に記憶されている。
【０１５９】
特別画像管理データ５３５には、特別画像ＩＤと対応付けて、特別画像の画像データ（特別スタンプ４７の画像データ）と、使用許可要求コードに適合するアンロックコードと、特別画像の使用許否を表すデータとが記憶されている。
【０１６０】
また、端末記憶部５００ｔは、個体識別情報５３０（アプリＩＤ５３１、ユーザアカウント５３２、電子メールアドレス５３３）と、使用許可要求コード５３９と、生成した２次元コード５３４と、プッシュ通知データ５３６と、アクセス情報５３８と、自編集過程データ７１０と、他編集過程データ８１０と、レイヤー別表示設定フラグリスト８１２と、統合画像データ９００とを記憶する。その他、タイマやカウンタ、各種フラグなどの情報を適宜記憶できる。
【０１６１】
端末システムプログラム５０２は、端末処理部２００ｔが読み出して実行することでユーザ端末１５００にコンピュータとして必要な基本的な入出力機能を実現する。
【０１６２】
プリ機アプリ５０３は、端末処理部２００ｔが読み出して実行することでコード生成部２３０と、使用許可要求コード入力部２３１と、コード表示制御部２３２と、個体識別情報送信制御部２３５と、編集処理部２３６と、特別画像管理部２３９と、閲覧処理部２４１としての機能を実現させるためのアプリケーションプログラムである。
【０１６３】
通知受信アプリ５０４は、端末処理部２００ｔが読み出して実行することで通知受信制御部２３４としての機能を実現するためのアプリケーションプログラムである。当該プログラムは、端末システムプログラム５０２の一部であってもよい。
【０１６４】
ブラウザアプリ５０８は、端末処理部２００ｔが読み出して実行することでブラウザ制御部２３７としての機能を実現するためのアプリケーションプログラムである。また、電子メールアプリ５０９は、端末処理部２００ｔが読み出して実行することで電子メール制御部２３８としての機能を実現するためのアプリケーションプログラムである。ブラウザアプリ５０８及び電子メールアプリ５０９ともに、端末システムプログラム５０２の一部であってもよい。
【０１６５】
自編集過程データ７１０は、サーバシステム１１００から提供される編集過程セーブデータ６２０のうち自機に記憶されている個体識別情報５３０に対応するセーブデータであり、ユーザ端末１５００での画像編集によって逐次更新される。自編集過程データ７１０には、背景レイヤーデータ７１８や前景レイヤーデータ７１９等が含まれ、自ユーザによって編集される。サーバシステム１１００から提供された時点においては、自編集過程データ７１０は、編集過程セーブデータ６２０の内容（背景レイヤーデータ６４８や前景レイヤーデータ６５０等）となっている。編集された後の自編集過程データ７１０はサーバシステム１１００に送信されて、サーバシステム１１００に記憶されていた編集過程セーブデータ６２０が更新される。すなわち、サーバシステム１１００では、各ユーザがそれぞれのユーザ端末で編集した過程のデータが記憶・管理されることとなる。
【０１６６】
他編集過程データ８１０は、サーバシステム１１００から提供される編集過程セーブデータ６２０のうち自機の個体識別情報５３０以外に対応するセーブデータである。他編集過程データ８１０は、原則、ユーザ端末１５００での画像編集で変更されることはない。
【０１６７】
レイヤー別表示設定フラグリスト８１２は、自編集過程データ７１０および他編集過程データ８１０に含まれる各レイヤーの、当該レイヤーをプレビュー３０（図１２参照）での表示／非表示の設定フラグのリストである。設定フラグは表示対象なら「１」、非表示なら「０」とされる。なお、本実施形態では、人物レイヤー１４および人物影レイヤー１６については、常時表示対象に設定されているものとする。
【０１６８】
統合画像データ９００は、ユーザ端末１５００での画像編集の過程で、所定の統合画像保存操作（図１２の統合画像保存操作アイコン３９を参照）に応じて、現在プレビュー３０にて表示されているレイヤーを１つに統合した画像のデータであって、以降は前景や背景などのレイヤー別での編集ができない画像データである。ＪＰＥＧなどデータの形式は特に問わない。
【０１６９】
では次に、ロケーション装置１３００、サーバシステム１１００、ユーザ端末１５００それぞれの動作について説明する。
【０１７０】
〔ロケーション装置の動作説明〕
図２５は、ロケーション装置１３００における処理の流れについて説明するためのフローチャートである。ここで説明する処理の流れは、処理部２００が制御プログラム５０１（図２０参照）を実行することにより実現される。
【０１７１】
ロケーション装置１３００の処理部２００は、起動すると制御プログラム５０１を実行する。そして、先ずシステムチェックや初期化などを行った後、所定のデモンストレーション画面の表示を開始する（ステップＬ２）。
【０１７２】
そして、処理部２００は、デモンストレーション画面を表示している間にコイン投入装置１３０２へのコインの投入を検出すると（ステップＬ４のＹＥＳ）、タッチパネル１３０６に受付開始画面Ｗ１０（図７（１）参照）を表示させ、ユーザ２が所持するユーザ端末１５００に表示された２次元コードをカメラ部１３０８で撮影し読み取る（ステップＬ６）。この時、読み取り毎にデコード情報５２０が記憶される。処理部２００は、所与のコード読み取り期間の間、連続受付画面Ｗ１２（図７（２）参照）を表示させて、２次元コードの読み取りを繰り返し実行する（ステップＬ８）。
【０１７３】
コード読み取り期間の経過後、処理部２００は、読み取った２次元コードがあったか、すなわち受け付けたデコード情報５２０があったか否か（ステップＬ１０）、及び、受け付けたデコード情報５２０の数が１以下か否か（ステップＬ１２）を判定する。デコード情報５２０を受け付けなかった、或いは、受け付けた数が１以下であった場合には、処理部２００は、タッチパネル１３０６に伝送先情報入力画面Ｗ１４（図８参照）を表示させて、アクセス情報の伝送先とする電子メールアドレスの入力を要求する（ステップＬ１４）。
【０１７４】
伝送先情報の入力が完了した後、或いは、受け付けたデコード情報５２０の数が２以上の場合（ステップＬ１０のＮＯ）、処理部２００は、カメラ部１３０８で単色背景部１３６４の前に立つユーザ２を撮影する（ステップＬ１６）。この時撮影された画像がオリジナル撮影画像１０（図５参照）であって、記憶部５００に撮影データセット５４０が生成され撮影した画像データがオリジナル撮影画像データ５４２として記憶される。
【０１７５】
そして、このオリジナル撮影画像１０から人物レイヤー１４と人物影レイヤー１６を生成し、それぞれの画像データを人物レイヤーデータ５４４、人物影レイヤーデータ５４６として記憶する（ステップＬ１８）。また、空の前景レイヤー１２と空の背景レイヤー１８とを生成して、それぞれ前景レイヤーデータ５５０、背景レイヤーデータ５４８として記憶する（ステップＬ２０）。なお、本実施形態の背景レイヤーデータ５４８は、背景テンプレート画像の画像ＩＤとするので、この段階では未定を示す所定値（例えばＮＵＬＬ）とされる。
【０１７６】
次に処理部２００は、タッチパネル１３０６に印刷用画像編集画面Ｗ２（図６参照）を表示させる（ステップＬ２２）。ここで、ステップＬ６で受け付けたデコード情報５２０に、使用許可要求データが含まれていた場合には（ステップＬ２４のＹＥＳ）、その使用許可要求データに対応する特別画像の編集画面での使用を許可する（ステップＬ２６）。本実施形態では、特別画像は特別スタンプ４７（図１７参照）であるため、特別スタンプ４７が印刷用画像編集画面Ｗ２で使用可能となる。
【０１７７】
次いで、処理部２００は、当該画面における編集操作に応じて前景レイヤーデータ５５０と、背景レイヤーデータ５４８とを更新する（ステップＬ２８）。
【０１７８】
印刷用画像編集画面Ｗ２を表示した状態で印刷操作アイコン３８へのタッチ操作が検出されると、処理部２００は所定の印刷操作の入力を検出したと判断し（ステップＬ３０のＹＥＳ）、印刷用統合画像２０（図４参照）を生成し（ステップＬ３２）、アクセス情報５２２を生成する（ステップＬ３４：図２０参照）。そして、タッチパネル１３０６にアクセス情報提示画面Ｗ１６（図９参照）を表示することで、生成したアクセス情報５２２を表示した後（ステップＬ３６）、生成した印刷用統合画像２０とアクセス情報５２２とを印刷装置１３６０で被印刷媒体８に印刷させる（ステップＬ３８）。
【０１７９】
次に、処理部２００は、ステップＬ６でデコード情報５２０を受け付けていた場合には（ステップＬ４０のＹＥＳ）、サーバシステム１１００へ、所定の保存リクエストとともに、今回の撮影で得られたデコード情報５２０と、アクセス情報５２２と、撮影データセット５４０とを送信する（ステップＬ４２）。
【０１８０】
デコード情報５２０を受け付けていない場合には（ステップＬ４０のＮＯ）、サーバシステム１１００へ、所定の保存リクエストとともに、今回の撮影で得られたアクセス情報５２２と、撮影データセット５４０とを送信する（ステップＬ４４）。また、ステップＬ１４で入力された伝送先の電子メールアドレスに宛ててアクセス情報５２２を送信する（ステップＬ４６）。
【０１８１】
ステップＬ４２又はＬ４４の後、処理部２００は、今回の撮影で得られたデコード情報５２０やアクセス情報５２２、撮影データセット５４０等のデータを破棄して（ステップＬ４８）、デモンストレーションの画面表示に戻る（ステップＬ２）。
【０１８２】
〔サーバシステムの動作説明〕
図２７は、サーバシステム１１００における処理の流れについて説明するためのフローチャートである。ここで説明する処理の流れは、サーバ処理部２００ｓがサーバシステムプログラム５０５を実行した状態で、撮影画像管理プログラム５０７を実行することにより実現される（図２２参照）。
【０１８３】
サーバシステム１１００のサーバ処理部２００ｓは、ロケーション装置１３００から保存リクエストを受信すると（ステップＳ２のＹＥＳ）、当該リクエストとともに受信した各種データに基づいて新たなセーブデータセット６１０を生成し保存する（ステップＳ４：図２３参照）。
【０１８４】
セーブデータセット６１０の生成にあたっては、サーバ処理部２００ｓは、受信したアクセス情報５２２を複製して認証用アクセス情報６１１とする。また、受信したデコード情報５２０から個別情報を分離して種類別にリストとして登録する。すなわち、アプリＩＤを抜き出してアクセス許可アプリＩＤリスト６１２に、ユーザアカウントを抜き出してアクセス許可ユーザアカウントリスト６１３に電子メールアドレスを抜き出してアクセス許可電子メールアドレスリスト６１４に登録する。
【０１８５】
更に、サーバ処理部２００ｓは、受信した撮影データセット５４０を複製してオリジナル撮影データセット６１５とし、更に受信したデコード情報５２０別に編集過程セーブデータ６２０を生成する。具体的には、１つの受信したデコード情報５２０から取り出したアプリＩＤとユーザアカウントと電子メールアドレスとをそれぞれ編集者識別用アプリＩＤ６２１、編集者識別用ユーザアカウント６２３、編集者識別用電子メールアドレス６２４とする。また、受信した撮影データセット５４０に含まれる各レイヤーデータをそれぞれ複製して人物レイヤーデータ６４４、人物影レイヤーデータ６４６、背景レイヤーデータ６４８、前景レイヤーデータ６５０とする。
【０１８６】
また、サーバ処理部２００ｓは、デコード情報５２０に含まれているユーザアカウントに対応するユーザ登録データ５９２の撮影履歴データ５９３に、ロケーション装置１３００を使用して撮影した日時等を追加記録して撮影履歴データ５９３を更新する（ステップＳ６）。
【０１８７】
次に、保存リクエストとともに受信したデコード情報５２０にアプリＩＤが含まれている場合（本実施形態ではデコード情報５２０が含まれている場合）には（ステップＳ８のＹＥＳ）、通知システムサーバ１６００へ接続して所定の通知実行リクエストとともに、デコード情報５２０に含まれていたアプリＩＤ毎に、当該アプリＩＤと、デコード情報５２０に含まれているアクセス情報とを送信する（ステップＳ１０）。
【０１８８】
また、サーバ処理部２００ｓは、保存リクエストとともに受信したデコード情報５２０に使用許可要求コードが含まれていた場合には（ステップＳ１２のＹＥＳ）、特別画像使用許諾リスト６１６の当該使用許可要求コードに対応する特別画像の使用許否を使用可（使用許諾）に設定する（ステップＳ１４）。そして、デコード情報５２０に含まれているユーザアカウントに対応するユーザ登録データ５９２のフレンドデータ５９４を参照して、フレンドユーザを特定する。このフレンドユーザは、ロケーション装置１３００で撮影したユーザのフレンドである。そして、当該フレンドユーザの電子メールアドレスをユーザ登録データベース５９０から読み出して、当該フレンドユーザの電子メールアドレス宛に、当該ユーザがロケーション装置１３００で撮影を行い、特別画像が使用可になった旨を通知する（ステップＳ１６）。
【０１８９】
保存リクエストを受信しなかった場合（ステップＳ２のＮＯ）や、保存リクエストとともに受信したデコード情報５２０に使用許可要求コードが含まれていなかった場合（ステップＳ１２のＮＯ）、或いは、ステップＳ１６の処理の後、サーバ処理部２００ｓは、次の処理を実行する。すなわち、もし、ユーザ端末１５００から所定の画像編集用の認証リクエストを受信したならば（ステップＳ１８のＹＥＳ）、サーバ処理部２００ｓは当該リクエストとともに受信したアプリＩＤ、ユーザアカウント、電子メールアドレスの何れかの個体識別情報を用いて認証を行う（ステップＳ２０）。
【０１９０】
具体的には、受信したアプリＩＤ、ユーザアカウント、電子メールアドレスの何れかが、アクセス許可アプリＩＤリスト６１２、アクセス許可ユーザアカウントリスト６１３、アクセス許可電子メールアドレスリスト６１４の何れかに含まれるセーブデータセット６１０（図２３参照）を検索する。そして、該当が有れば認証し（ステップＳ２０のＹＥＳ）、該当するセーブデータセット６１０の特別画像使用許諾リスト６１６に、使用可（使用許諾）に設定された特別画像があるかを判定する（ステップＳ２２）。使用可に設定された特別画像がある場合には（ステップＳ２２のＹＥＳ）、サーバ処理部２００ｓは、当該特別画像の使用を許可とする指示（使用許可指示）を、認証リクエストしたユーザ端末１５００へ送信する（ステップＳ２４）。また、サーバ処理部２００ｓは、認証リクエストしたユーザ端末１５００へ、検索されたセーブデータセット６１０のうちの、受信した個体識別情報に対応する編集過程セーブデータ６２０を送信する（ステップＳ２６）。また、そのセーブデータセット６１０のうちの、他の個体識別情報に対応する編集過程セーブデータ６２０も送信する（ステップＳ２８）。
【０１９１】
ここで、編集過程セーブデータ６２０のうち、前景レイヤーデータ６５０は、いわばベクタ形式のデータとなっている。そこで、他の個体識別情報に対応する前景レイヤーデータ６５０については、ベクタ形式からラスタ形式（例えばＪＰＥＧ画像などのラスタ画像）のデータに変換して送信することとしてもよい。
【０１９２】
ステップＳ２６，Ｓ２８で送信された編集過程セーブデータ６２０は、ユーザ端末１５００の端末記憶部５００ｔに、それぞれ自編集過程データ７１０、他編集過程データ８１０として記憶され（図２４参照）、ユーザ端末１５００における画像編集操作入力に応じて、自編集過程データ７１０が逐次更新される。
【０１９３】
ユーザ端末１５００にて所定のセーブ操作が検出されると、所定の編集過程保存リクエストとともに、アクセス情報５３８と、個体識別情報（アプリＩＤ５３１、ユーザアカウント５３２、電子メールアドレス５３３の何れか）と、自編集過程データ７１０とがサーバシステム１１００へ送信される。
サーバシステム１１００のサーバ処理部２００ｓは、それらを受信すると（ステップＳ３０のＹＥＳ）、受信した自編集過程データ７１０を受信した個体識別情報に対応する編集過程セーブデータ６２０の内容に反映させる（ステップＳ３２）。
【０１９４】
また、ユーザ端末１５００から所定のアクセス許可個体識別情報の追加リクエストと、追加希望する新しい個体識別情報（アプリＩＤ、ユーザアカウント、電子メールアドレスの何れか）と、アクセス情報５３８とを受信したならば（ステップＳ３４のＹＥＳ）、サーバ処理部２００ｓは、受信したアクセス情報に対応する編集過程セーブデータ６２０を参照し、アクセス許可アプリＩＤリスト６１２、アクセス許可ユーザアカウントリスト６１３、アクセス許可電子メールアドレスリスト６１４それぞれの登録済数をカウントする。すなわち、アクセス情報５３８に係る撮影画像に対して既に登録されている個体（アプリやユーザ等）の数をカウントする。そして、そのうちの最大値が、所定の上限値以下であれば（ステップＳ３６のＹＥＳ）、受信した追加希望の個体識別情報を、アクセス許可アプリＩＤリスト６１２、アクセス許可ユーザアカウントリスト６１３、アクセス許可電子メールアドレスリスト６１４の何れかデータ種類が適合するリストに登録する（ステップＳ３８）。１つの撮影画像について、登録できる個体の数に上限値を定めているため、この上限値以下で登録を認めるためである。
【０１９５】
また、ユーザ端末１５００から所定の閲覧リクエストを受信したならば（ステップＳ４０のＹＥＳ）、閲覧リクエストとともに送信されてきたアクセス情報５３８に基づいてアクセスを許可するか否かの認証判定を行う（ステップＳ４２）。アクセス情報５３８に該当する認証用アクセス情報６１１が存在すれば認証する。認証した場合（ステップＳ４２のＹＥＳ）、サーバ処理部２００ｓは、該当する認証用アクセス情報６１１が格納されたセーブデータセット６１０から編集過程セーブデータ６２０を読み出し、各レイヤーを統合した閲覧用画像データを生成する（ステップＳ４４）。閲覧用画像データは、ラスタ形式のデータである。そして、サーバ処理部２００ｓは、閲覧リクエストを送信したユーザ端末１５００に閲覧用画像データを送信する（ステップＳ４６）。
【０１９６】
また、ユーザ端末１５００からフレンドユーザの追加・削除等のフレンドユーザ編集リクエストを受信したならば（ステップＳ４８のＹＥＳ）、サーバ処理部２００ｓは、当該リクエストとともに送信されてきたユーザアカウントに基づいて、対応するフレンドデータ５９４をユーザ登録データベース５９０から読み出す。そして、当該リクエスト送信したユーザ端末１５００と所定通信を行って、読み出したフレンドデータ５９４を編集するフレンドユーザ編集処理を実行する（ステップＳ５０）。
【０１９７】
また、サーバ処理部２００ｓは、ユーザ登録データベース５９０の撮影履歴データ５９３が所定条件を満たすユーザを検索し（ステップＳ５２）、検索された場合には（ステップＳ５２のＹＥＳ）、当該ユーザのユーザ端末１５００に所定通知を送信する（ステップＳ５６）。例えば、ロケーション装置１３００にて所定回数の撮影を行ったユーザに対して（ステップＳ５２のＹＥＳ）、所定回数の撮影を行ったユーザにのみ付与される特別画像を付与することとしてもよい。その場合には、当該特別画像の使用を許可する通知を送信すればよい（ステップＳ５６）。また、ロケーション装置１３００にて最後に撮影した日から所定日数が経過したユーザに対して（ステップＳ５２のＹＥＳ）、撮影を促す通知を送信することとしてもよい（ステップＳ５６）。
【０１９８】
また、サーバ処理部２００ｓは、アクセス許可個体識別情報リストである、アクセス許可アプリＩＤリスト６１２、アクセス許可ユーザアカウントリスト６１３、及びアクセス許可電子メールアドレスリスト６１４の中に、互いにフレンドとして登録していないユーザの組み合わせがあるかを、ユーザ登録データベース５９０の中から検索する（ステップＳ５８）。そして、見つかった場合には（ステップＳ６０のＹＥＳ）、当該ユーザのユーザ端末１５００に、当該組み合わせの相手のユーザとのフレンド登録を促す通知を送信する（ステップＳ６２）。
【０１９９】
〔ユーザ端末の動作説明〕
次に、ユーザ端末１５００の動作について説明する。
図２９〜図３１は、ユーザ端末１５００における処理の流れを説明するためのフローチャートである。当該処理は、ユーザ端末１５００にてプリ機アプリ５０３を実行することにより実現される（図２４参照）。
【０２００】
まず、端末処理部２００ｔは、所定のウェブサイトにアクセスしてユーザアカウント等を用いてアプリ認証手続き、いわゆるログインを実行する（ステップＴ２）。ユーザ登録をしていなくとも、アプリＩＤを用いてアップデートの確認などの処理を行う。
【０２０１】
次いで、端末処理部２００ｔは、タッチパネル１５０６にメニュー画面を表示させる（ステップＴ４）。メニュー項目には「使用許可要求コードの入力」「ユーザ登録」「２次元コードの表示」「画像閲覧」「画像編集」「アクセス許可個体識別情報の追加」「フレンドユーザ編集」「アプリの終了」が含まれる。
【０２０２】
メニュー画面にて使用許可要求コードを入力する旨の項目選択操作が検出されると（ステップＴ６のＹＥＳ）、端末処理部２００ｔは、撮影部１０２ｔによる２次元コードの撮影によって使用許可要求コードを入力する（図１６参照）、又は操作入力部１００ｔから使用許可要求コードをテキスト入力するよう機能する（ステップＴ８）。そしてメニュー画面に戻る。
【０２０３】
また、端末処理部２００ｔは、ユーザ登録が済んでおらず（ステップＴ１０のＮＯ）、メニュー画面にてユーザ登録をする旨の項目選択操作が検出されると（ステップＴ１２のＹＥＳ）、ユーザ登録手続きに係る処理を実行し、電子メールアドレス等を登録する（ステップＴ１４）。これに伴い発給されたユーザアカウント５３２を端末記憶部５００ｔに記憶する（ステップＴ１６）。そしてメニュー画面に戻る。なお、プリ機アプリを使用するために、必ずユーザ登録を必要とする仕様としてもよい。
【０２０４】
次いで、端末処理部２００ｔは、メニュー画面にて２次元コード５３４（図１５参照）の表示をする旨の項目選択操作が検出されると（ステップＴ１８，Ｔ２６）。ユーザ登録が済んでいればステップＴ２０〜Ｔ２２の処理を実行する。すなわち、使用許可要求コードが入力されている場合には（ステップＴ２０のＹＥＳ）、アプリＩＤ５３１と、ユーザアカウント５３２と、電子メールアドレス５３３と、使用許可要求コード５３９とを含む２次元コード５３４を生成し、生成したコードをタッチパネル１５０６に表示させる（ステップＴ２２）。ロケーション装置１３００にて撮影にのぞんだユーザ２は、この段階で表示された２次元コードをロケーション装置１３００のカメラ部１３０８に向けてかざすことになる（図７参照）。
【０２０５】
また、使用許可要求コードが入力されてない場合には（ステップＴ２０のＮＯ）、アプリＩＤ５３１と、ユーザアカウント５３２と、電子メールアドレス５３３とを含む２次元コード５３４を生成し、生成したコードをタッチパネル１５０６に表示させる（ステップＴ２２）。
【０２０６】
一方、ユーザ登録が済んでいない状態で２次元コード５３４の表示をする旨の項目選択操作が検出されると（ステップＴ２６のＹＥＳ）。端末処理部２００ｔは、ステップＴ２８〜Ｔ３２の処理を実行する。すなわち、使用許可要求コードが入力されている場合には（ステップＴ２８のＹＥＳ）、アプリＩＤ５３１と、使用許可要求コード５３９とを含む２次元コード５３４を生成し、生成したコードをタッチパネル１５０６に表示させる（ステップＴ３０）。また、使用許可要求コードが入力されてない場合には（ステップＴ２８のＮＯ）、アプリＩＤ５３１を含む２次元コード５３４を生成し、生成したコードをタッチパネル１５０６に表示させる（ステップＴ３２）。
【０２０７】
なお、個体識別情報５３０をアプリＩＤ５３１のみとするならば、ステップＴ１８〜Ｔ３０の処理を簡易にすることができる。すなわち、ユーザ登録の有無に関わらず、アプリＩＤ５３１が２次元コードに含まれるため、使用許可要求コードを２次元コードに含めるか否かの分岐処理で済む。ユーザ登録自体は、別途のタイミング（例えば画像編集の際）に行うこととすればよい。
【０２０８】
次いで図３０に処理を移行して、端末処理部２００ｔは、メニュー画面にて画像閲覧をする旨の項目選択操作が検出されると（ステップＴ３４のＹＥＳ）、サーバシステム１１００へ、アクセス情報５３８に基づく閲覧リクエストを送信して（ステップＴ３６）、閲覧用画像データを受信すると（ステップＴ３８）、それをタッチパネル１５０６に表示する（ステップＴ４０）。
【０２０９】
また、端末処理部２００ｔは、メニュー画面にて画像編集をする旨の項目選択操作が検出されると（ステップＴ４２のＹＥＳ）、ユーザ登録がなされているか否かを判定し、なされていなければ画像編集はできないとして、画像編集に係る処理をスキップしてメニュー画面に戻る（ステップＴ４４のＮＯ）。ユーザ登録がなされていれば（ステップＴ４４のＹＥＳ）、画像編集に係る処理を行う。すなわち、サーバシステム１１００へアクセスして、所定の認証リクエストと、認証用の個体識別情報５３０と、アクセス情報５３８とを送信する（ステップＴ４６）。
【０２１０】
サーバシステム１１００にて認証が得られると、サーバシステム１１００から各種のデータや情報が送信されてくる。まず、特別画像の使用許可指示が送信されてきた場合には（ステップＴ４８のＹＥＳ）、特別画像管理データ５３５のうち、使用許可指示にて指定された特別画像の使用許否を使用可に設定する（ステップＴ５０）。これは、本人ではないユーザが使用許可要求コードを含む２次元コードをロケーション装置１３００に読み取らせて撮影を行い、その撮影画像について画像編集をする場合に該当する。例えば、二人でロケーション装置１３００にて撮影をした際に、一方のユーザのユーザ端末１５００Ａが提示した二次元コードには使用許可要求コードが含まれていたが、他方のユーザのユーザ端末１５００Ｂが提示した二次元コードには使用許可要求コードが含まれていない場合の、他方のユーザに該当する（図１９参照）。また、一緒に撮影をしなかった友人が、アクセス情報５３８を入手した場合も同様に該当し得る（図１９参照）。
【０２１１】
また、端末処理部２００ｔは、サーバシステム１１００から自個体識別情報に対応する編集過程セーブデータ６２０を受信して、これを自編集過程データ７１０として端末記憶部５００ｔに記憶する（ステップＴ５２）。また、同様にしてサーバシステム１１００から他個体識別情報に対応する編集過程セーブデータ６２０を受信して、これを他編集過程データ８１０として端末記憶部５００ｔに記憶する（ステップＴ５４）。そして、端末処理部２００ｔは画像編集処理を実行する（ステップＴ５６）。
【０２１２】
図３２〜図３３は、画像編集処理の流れを説明するためのフローチャートである。同処理において、端末処理部２００ｔは先ず、自編集過程データ７１０の全レイヤーをプレビュー３０への表示対象に設定し（ステップＴ１０２）、他編集過程データ８１０の全レイヤーを非表示に設定する（ステップＴ１０４）。そして、画像編集画面を表示させる（ステップＴ１０６：図１２参照）。
【０２１３】
画像編集画面にて、レイヤー表示設定部５０のレイヤーサムネイルへのタッチ操作を検出すると、端末処理部２００ｔは対応するレイヤーの表示／非表示の切り換え操作がなされたとみなし（ステップＴ１０８のＹＥＳ）、該当するレイヤーの表示／非表示の設定を切り換え、プレビュー３０にその結果を反映させる（ステップＴ１１０）。
【０２１４】
更に、表示対象へ設定が変更されたレイヤーが他編集過程データ８１０に属する場合は（ステップＴ１１２のＹＥＳ）、端末処理部２００ｔは当該レイヤーに対応するレイヤーサムネイルに編集不可通知４８（図１３参照）を一定時間添付表示する（ステップＴ１１４）。
【０２１５】
画像編集画面の編集操作パネル３２にて、背景テンプレート画像サムネイル３３へのタッチ操作を検出すると、端末処理部２００ｔは、タッチ操作によって選択された背景テンプレート画像サムネイル３３を背景レイヤー１８とする画像選択操作がなされたと判断して（ステップＴ１１６のＹＥＳ）、選択操作に応じて自編集過程データ７１０の背景レイヤーデータ６４８（図２３参照）を変更する（ステップＴ１１８）。
【０２１６】
また、画像編集画面の編集操作パネル３２にて、前景レイヤー１２への編集操作を検出すると（ステップＴ１２０）、端末処理部２００ｔは、選択操作に応じて自編集過程データ７１０の前景レイヤーデータ６５０（図２３参照）を変更する（ステップＴ１２２）。このとき、使用可（使用許諾）となっている特別画像があれば、前景レイヤー１２への編集操作において、対応する特別スタンプ４７の使用を可能とする（図１８参照）。
【０２１７】
図３３のフローチャートに移って、画像編集画面にてセーブ操作アイコン３７（図１３参照）へのタッチ操作が検出されると、端末処理部２００ｔは所定のセーブ操作を検出したと判断し（ステップＴ１２４のＹＥＳ）、サーバシステム１１００へアクセスして、所定の保存リクエストと、認証に使用した個体識別情報５３０と、アクセス情報５３８と、自編集過程データ７１０とを送信する（ステップＴ１２６）。つまり、サーバシステム１１００へのデータ保存処理を実行する。
【０２１８】
また、画像編集画面にて統合画像保存操作アイコン３９（図１３参照）へのタッチ操作が検出されると、端末処理部２００ｔは所定の統合画像保存操作を検出したと判断し（ステップＴ１２８のＹＥＳ）、現在表示対象となっているレイヤーを全て１つに統合処理した統合画像を生成し、統合画像データ９００を端末記憶部５００ｔに記憶させる（ステップＴ１３０）。
【０２１９】
図３０のフローチャートに戻って、画像編集処理は所定の画像編集終了を検出するまで実行される（ステップＴ２０２のＮＯ）。画像編集終了を検出すると（ステップＴ２０２のＹＥＳ）、端末処理部２００ｔはサーバシステム１１００へアクセスして、所定の保存リクエストと、認証に使用した個体識別情報５３０と、アクセス情報５３８と、自編集過程データ７１０とを送信する（ステップＴ２０４）。これにより、自編集過程データ７１０に基づいて、サーバシステム１１００に記憶されている、対応する編集過程セーブデータ６２０が更新される。自ユーザの編集内容がサーバシステム１１００側に反映される結果、他ユーザは、自ユーザの編集内容を閲覧することができるようになる。
【０２２０】
図３１のフローチャートに移って、メニュー画面にて、アクセス許可個体識別情報を追加する旨の項目選択操作が検出されると（ステップＴ２０６のＹＥＳ）、端末処理部２００ｔはタッチパネル１５０６に入力欄およびソフトウェアキーボードを表示させて追加希望する個体識別情報の受付をする（ステップＴ２０８）。そして、サーバシステム１１００へ、所定のアクセス許可個体識別情報の追加リクエストとともに、アクセス情報と、追加希望する個体識別情報とをサーバシステム１１００へ送信する（ステップＴ２１０）。
【０２２１】
また、メニュー画面にて、フレンドユーザを編集する旨の項目選択操作が検出されると（ステップＴ２１２のＹＥＳ）、端末処理部２００ｔは、サーバシステム１１００と所定通信を行ってフレンドユーザの追加や削除等のフレンドユーザを編集する処理を行う（ステップＳ２１４）。
【０２２２】
メニュー画面にてアプリ終了操作の選択が検出されたならば（ステップＴ２１６のＹＥＳ）、端末処理部２００ｔは一連の処理を終了する。
【０２２３】
以上、本実施形態によれば、ロケーション装置１３００で撮影・画像編集・印刷された画像データがサーバシステム１１００に保存され、撮影したユーザ２は撮影後にユーザ端末１５００を使って保存されている画像データを元に画像を編集することができるようになる。例えば、友人同士がロケーション装置１３００で撮影した後に、各自が有するユーザ端末１５００でもって、同一の撮影画像に対する編集操作を別々に、時間制限なく、何度でも楽しむことができる。これにより、編集した画像を互いに見せ合ったりして楽しむことができる。また、編集した画像は、撮影に参加しなかった他の友人や知人に配布することが可能となるため、楽しみの輪が広がる。
つまり、ロケーション装置を含むシステム全体としての魅力を創造し、ひいてはロケーション装置への集客力を向上させることができる。
【０２２４】
また、ある一人のユーザが、雑誌等に掲載されていた使用許可要求コードを自身のユーザ端末１５００に入力し、ロケーション装置１３００において二次元コードを表示して撮影すると、撮影画像を編集する際に、その使用許可要求コードに対応する特別画像が使用できるようになる。また、自身のユーザ端末１５００において撮影画像に対する編集操作をする際にも、その使用許可要求コードに対応する特別画像が使用できるようになる。また更に、その撮影画像に対する編集を、他の友人や知人のユーザ端末１５００が行うと、他の友人や知人のユーザ端末１５００に使用許可要求コードが入力されていなくとも、特別画像を使用して編集することができる。
【０２２５】
なお、本発明の形態は上記実施形態に限らず、適宜構成要素の追加・省略・変更を施すことができる。
【０２２６】
例えば、上記実施形態ではユーザ端末１５００を使った画像編集の処理を、端末処理部２００ｔにて実行する構成としたが、サーバシステム１１００にて実行する構成としてもよい。この際、ユーザ端末１５００は単なるマンマシンインターフェースとしての端末（いわゆるダム端末）となり、編集処理自体はサーバシステム１１００側で実行する構成となる。
【０２２７】
また、上述の実施形態では、ロケーション装置１３００は、従来の撮影印刷装置と同様の撮影機能および撮影画像の被印刷媒体への印刷機能を有することとして説明したが、印刷機能を省略することとしてもよい。
【０２２８】
また、上述の実施形態では、サーバシステム１１００が通知システムサーバ１６００にプッシュ通知の通知実行リクエストを送信することとして説明したが、ロケーション装置１３００が通知システム１６００に通知実行リクエストを送信することとしてもよい。その場合、受付済のデコード情報５２０にアプリＩＤが含まれている場合に、当該アプリＩＤと、アクセス情報とを通知実行リクエストとともに通知システム１６００に送信することとする。
【０２２９】
また、上述の実施形態ではユーザ登録の種別は１種類であるとして説明したが、例えば、無料会員と有料会員、通常会員とプレミアム会員といった具合に複数種類あることとしてもよい。その場合、ロケーション装置１３００にて撮影され、サーバシステム１１００に保存された撮影画像の数をＮ枚（Ｎ≧２）とすると、第１種会員（例えば無料会員や通常会員）ならばＭ枚（Ｎ＞Ｍ）の画像のみが編集可能となるが、第２種会員（例えば有料会員やプレミアム会員）ならばＮ枚の画像全てが編集可能となることとすると好適である。
【０２３０】
また、上述の実施形態では、ユーザ端末１５００が特別画像管理データ５３５を記憶し、ユーザ端末１５００が特別画像ごとの使用許否を管理することとして説明したが、サーバシステム１１００がユーザ毎（ユーザアカウント毎）に特別画像の使用許否を管理することとしてもよい。その場合、サーバシステム１１００が、ユーザ登録データ５９２に、特別画像管理データ５３５のマスターデータを記憶し、管理する。そして、ユーザ端末１５００側でプリ機アプリ５０３を起動した際、或いは、ログインした際に、サーバシステム１１００から、当該ユーザに対応する特別画像管理データ５３５のマスターデータのコピーをダウンロードして取得する。ユーザ端末１５００内で特別画像管理データ５３５を更新した場合には、その更新内容をサーバシステム１１００に通知して、対応するマスターデータを更新させる。このようにすることで、仮に、１つのユーザアカウントで複数のユーザ端末１５００を利用する場合であっても、同一のユーザアカウントであれば、どのユーザ端末１５００においても、同じく特別画像を使用することができる。
【０２３１】
また、図１９を参照して説明したが、アクセス情報を入手してサーバシステム１１００にアクセスしたユーザ端末１５００（図１９のユーザ端末１５００Ｂ）において、サーバシステム１１００から特別画像の使用許可指示の情報を受信することで特別画像が使用可能になるとして説明した。このとき、サーバシステム１１００は、送信する使用許可指示を、送信先のユーザ端末１５００のユーザ（ユーザアカウント）と対応付けて蓄積記憶することとしてもよい。そして、同一のユーザアカウントでログイン認証がなされた際に、サーバシステム１１００は、蓄積記憶していた対応する使用許可指示の情報をユーザ端末１５００に送信することとする。このようにすることで、仮に、１つのユーザアカウントで複数のユーザ端末１５００を利用する場合であっても、同一のユーザアカウントであれば、どのユーザ端末１５００においても、同じく特別画像を使用することができる。
【符号の説明】
【０２３２】
８  被印刷媒体
１０  オリジナル撮影画像
１２  前景レイヤー
１３  装飾オブジェクト
１４  人物レイヤー
１６  人物影レイヤー
１８  背景レイヤー
２０  印刷用統合画像
２２  アクセス情報印字部
３０  プレビュー
３２  編集操作パネル
３３  背景テンプレート画像サムネイル
３７  セーブ操作アイコン
３８  印刷操作アイコン
３９  統合画像保存操作アイコン
４７  特別スタンプ
４８  編集不可通知
５０  レイヤー表示設定部
５４  前景レイヤーサムネイル
５６  背景レイヤーサムネイル
１１００  サーバシステム
２００ｓ  サーバ処理部
２０１    アカウント管理部
２５０    撮影画像管理部
２５２    画像データ受信制御部
２５４    画像データ記憶管理部
２５６    通知依頼制御部
２５８    編集用通信制御部
２７２ｓ  画像生成部
２７４ｓ  通信制御部
１００ｓ  操作入力部
３７２ｓ  画像表示部
３７４ｓ  通信部
５００ｓ  サーバ記憶部
５０５    サーバシステムプログラム
５０６    アカウント管理プログラム
５０７    撮影画像管理プログラム
５９０    ユーザ登録データベース
５９３    撮影履歴データ
５９４    フレンドデータ
６００    撮影画像データベース
６１０    セーブデータセット
６１１    認証用アクセス情報
６１２    アクセス許可アプリＩＤリスト
６１３    アクセス許可ユーザアカウントリスト
６１４    アクセス許可電子メールアドレスリスト
６１５    オリジナル撮影データセット
６１６    特別画像使用許諾リスト
６２０    編集過程セーブデータ
６２１    編集者識別用アプリＩＤ
６２３    編集者識別用ユーザアカウント
６２４    編集者識別用電子メールアドレス
６２５    更新日時
６４４    人物レイヤーデータ
６４８    背景レイヤーデータ
６５０    前景レイヤーデータ
６５２    装飾データ
１３００  ロケーション装置
１００    操作入力部
１０２    撮影部
１０４    コイン投入部
１０６    ＩＣカード読取部
２００    処理部
２０２    情報取得制御部
２０４    アクセス情報生成部
２０５    アクセス情報表示制御部
２１０    印刷画像編集部
２１１    人物レイヤー生成部
２１３    人物影レイヤー生成部
２１５    前景レイヤー生成部
２１７    背景レイヤー生成部
２１９    印刷用統合画像生成部
２２０    データ送信制御部
２２２    印刷制御部
２７２    画像生成部
２７４    通信制御部
３６０    印刷部
３７２    画像表示部
３７４    通信部
５００    記憶部
５０１    制御プログラム
５１０    背景テンプレート画像データ
５１２    フォントデータ
５１６    スタンプオブジェクトデータ
５１７    特別画像データ
５２０    デコード情報
５２２    アクセス情報
５４０    撮影データセット
５４２    オリジナル撮影画像データ
５４４    人物レイヤーデータ
５４６    人物影レイヤーデータ
５４８    背景レイヤーデータ
５５０    前景レイヤーデータ
５５２    装飾データ
５６０    印刷用統合画像データ
１５００  ユーザ端末
１００ｔ  操作入力部
１０２ｔ  撮影部
２００ｔ  端末処理部
２３０    コード生成部
２３１    使用許可要求コード生成部
２３２    コード表示制御部
２３４    通知受信制御部
２３５    個体識別情報送信制御部
２３６    編集処理部
２３７    ブラウザ制御部
２３８    電子メール制御部
２３９    特別画像管理部
２４１    閲覧処理部
２７２ｔ  画像生成部
２７４ｔ  通信制御部
３７２ｔ  画像表示部
３７４ｔ  通信部
５００ｔ  端末記憶部
５０２    端末システムプログラム
５０３    プリ機アプリ
５０４    通知受信アプリ
５０８    ブラウザアプリ
５０９    電子メールアプリ
５１０    背景テンプレート画像データ
５１２    フォントデータ
５１６    スタンプオブジェクトデータ
５３０    個体識別情報
５３１    アプリＩＤ
５３２    ユーザアカウント
５３３    電子メールアドレス
５３４    ２次元コード
５３５    特別画像管理データ
５３６    プッシュ通知データ
５３７    通知アドレス
５３８    アクセス情報
５３９    使用許可要求コード
７１０    自編集過程データ
７１８    背景レイヤーデータ
７１９    前景レイヤーデータ
８１０    他編集過程データ
８１２    レイヤー別表示設定フラグリスト
９００    統合画像データ
【図１】
2015154218.tif 000003
【図２】
2015154218.tif 000004
【図３】
2015154218.tif 000005
【図４】
2015154218.tif 000006
【図５】
2015154218.tif 000007
【図６】
2015154218.tif 000008
【図７】
2015154218.tif 000009
【図８】
2015154218.tif 000010
【図９】
2015154218.tif 000011
【図１０】
2015154218.tif 000012
【図１１】
2015154218.tif 000013
【図１２】
2015154218.tif 000014
【図１３】
2015154218.tif 000015
【図１４】
2015154218.tif 000016
【図１５】
2015154218.tif 000017
【図１６】
2015154218.tif 000018
【図１７】
2015154218.tif 000019
【図１８】
2015154218.tif 000020
【図１９】
2015154218.tif 000021
【図２０】
2015154218.tif 000022
【図２１】
2015154218.tif 000023
【図２２】
2015154218.tif 000024
【図２３】
2015154218.tif 000025
【図２４】
2015154218.tif 000026
【図２５】
2015154218.tif 000027
【図２６】
2015154218.tif 000028
【図２７】
2015154218.tif 000029
【図２８】
2015154218.tif 000030
【図２９】
2015154218.tif 000031
【図３０】
2015154218.tif 000032
【図３１】
2015154218.tif 000033
【図３２】
2015154218.tif 000034
【図３３】
2015154218.tif 000035